(57)【要約】本発明は、リソース構成方法及び装置、コンピュータ記憶媒体を開示し、前記方法は、端末がネットワーク機器によって送信された第１の制御情報を受信するステップであって、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであるステップと、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定し、前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記端末が前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するステップと、を含む。【選択図】図２
2021517383.tif 000002
【特許請求の範囲】
【請求項１】
リソース構成方法であって、前記方法は、
端末がネットワーク機器によって送信された第１の制御情報を受信するステップであって、前記端末によってアクティブ化された現在の帯域幅部分ＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであるステップと、
前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定し、前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記端末が前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するステップと、を含むリソース構成方法。
【請求項２】
前記方法はさらに、
前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記端末が前記第２のダウンリンクＢＷＰと前記第２のアップリンクＢＷＰをアクティブ化すると同時に前記第１のダウンリンクＢＷＰと前記第１のアップリンクＢＷＰを非アクティブ化するステップを含む請求項１に記載の方法。
【請求項３】
前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するステップは、
前記第１のダウンリンクＢＷＰ、前記第１のアップリンクＢＷＰ及び前記第２のダウンリンクＢＷＰ、前記第２のアップリンクＢＷＰが所定の規則を満たす場合、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定するステップと、
前記第１のダウンリンクＢＷＰ、前記第１のアップリンクＢＷＰ及び前記第２のダウンリンクＢＷＰ、前記第２のアップリンクＢＷＰが所定の規則を満たさない場合、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ないと決定するステップと、を含む請求項１又は請求項２に記載の方法。
【請求項４】
前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む請求項３に記載の方法。
【請求項５】
前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するステップは、
前記端末がネットワーク機器によって送信された第２の制御情報を受信するステップであって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示するステップを含む請求項１又は請求項２に記載の方法。
【請求項６】
前記第２の制御情報がダウンリンク制御情報ＤＣＩ、又は無線リソース制御ＲＲＣシグナリング、又はシステム情報ＳＩである請求項５に記載の方法。
【請求項７】
前記方法はさらに、
前記端末が前記ネットワーク機器によって送信された第１の構成情報を受信するステップであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものであるステップと、
前記端末が前記第１の構成情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するステップと、を含む請求項１〜請求項６のいずれか１項に記載の方法。
【請求項８】
前記方法はさらに、
前記端末が前記ネットワーク機器によって送信された第３の制御情報を受信するステップであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰであると指示するためのものであるステップと、
前記端末が前記第３の制御情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するステップと、を含む請求項１〜請求項６のいずれか１項に記載の方法。
【請求項９】
前記方法はさらに、
前記第１のダウンリンクＢＷＰと前記第１のアップリンクＢＷＰ、及び、前記第２のダウンリンクＢＷＰと前記第２のアップリンクＢＷＰが、いずれも非アクティブ化された場合、デフォルトのＢＷＰをアクティブ化するステップを含む請求項７又は請求項８に記載の方法。
【請求項１０】
リソース構成方法であって、前記方法は、
ネットワーク機器が端末に第１の制御情報を送信するステップであって、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであり、これにより、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定した場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するステップを含むリソース構成方法。
【請求項１１】
前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第１の指示情報は、前記第２のダウンリンクＢＷＰと前記第２のアップリンクＢＷＰをアクティブ化すると同時に、前記端末に前記第１のダウンリンクＢＷＰと前記第１のアップリンクＢＷＰを非アクティブ化させるためのものである請求項１０に記載の方法。
【請求項１２】
前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかは、
前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ることと、
前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないことと、を含む請求項１０又は請求項１１に記載の方法。
【請求項１３】
前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む請求項１２に記載の方法。
【請求項１４】
前記方法はさらに、
前記ネットワーク機器が前記端末に第２の制御情報を送信するステップであって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示するステップを含む請求項１０又は請求項１１に記載の方法。
【請求項１５】
前記第２の制御情報がＤＣＩ、又はＲＲＣシグナリング、又はＳＩである請求項１４に記載の方法。
【請求項１６】
前記方法はさらに、
前記ネットワーク機器が前記端末機器に第１の構成情報を送信するステップであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものであるステップを含む請求項１０〜請求項１５のいずれか１項に記載の方法。
【請求項１７】
前記方法はさらに、
前記ネットワーク機器が前記端末機器に第３の制御情報を送信するステップであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰであると指示するためのものであるステップを含む請求項１０〜請求項１５のいずれか１項に記載の方法。
【請求項１８】
リソース構成装置であって、前記装置は、
ネットワーク機器によって送信された第１の制御情報を受信するための第１の受信ユニットであって、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものである第１の受信ユニットと、
前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するための決定ユニットと、
前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するためのアクティブ化と非アクティブ化ユニットと、を含むリソース構成装置。
【請求項１９】
前記アクティブ化と非アクティブ化ユニットはさらに、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第２のダウンリンクＢＷＰと前記第２のアップリンクＢＷＰをアクティブ化すると同時に前記第１のダウンリンクＢＷＰと前記第１のアップリンクＢＷＰを非アクティブ化するためのものである請求項１８に記載の装置。
【請求項２０】
前記決定ユニットは、前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ると決定し、前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないと決定するためのものである請求項１８又は請求項１９に記載の装置。
【請求項２１】
前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む請求項２０に記載の装置。
【請求項２２】
前記装置はさらに、
ネットワーク機器によって送信された第２の制御情報を受信するための第２の受信ユニットであって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示するための第２の受信ユニットと、
前記第２の制御情報に基づいて前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するための前記決定ユニットと、を含む請求項１８又は請求項１９に記載の装置。
【請求項２３】
前記第２の制御情報がＤＣＩ、又はシグナリング、又はＳＩである請求項２２に記載の装置。
【請求項２４】
前記装置はさらに、
前記ネットワーク機器によって送信された第１の構成情報を受信するための第３の受信ユニットであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものである第３の受信ユニットを含み、
前記アクティブ化と非アクティブ化ユニットは、さらに、前記第１の構成情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するためのものである請求項１８〜請求項２３のいずれか１項に記載の装置。
【請求項２５】
前記装置はさらに、
前記ネットワーク機器によって送信された第３の制御情報を受信するための第４の受信ユニットであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰであると指示するためのものである第４の受信ユニットを含み、
前記アクティブ化と非アクティブ化ユニットはさらに、前記第３の制御情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するためのものである請求項１８〜請求項２３のいずれか１項に記載の装置。
【請求項２６】
前記アクティブ化と非アクティブ化ユニットはさらに、前記第１のダウンリンクＢＷＰと前記第１のアップリンクＢＷＰ、及び、前記第２のダウンリンクＢＷＰと前記第２のアップリンクＢＷＰが、いずれも非アクティブ化された場合、デフォルトのＢＷＰをアクティブ化するためのものである請求項２４又は請求項２５に記載の装置。
【請求項２７】
リソース構成装置であって、前記装置は、
端末に第１の制御情報を送信するための第１の送信ユニットであって、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであり、これにより、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定した場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持する第１の送信ユニットを含むリソース構成装置。
【請求項２８】
前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第１の指示情報は、前記第２のダウンリンクＢＷＰと前記第２のアップリンクＢＷＰをアクティブ化すると同時に、前記端末に前記第１のダウンリンクＢＷＰと前記第１のアップリンクＢＷＰを非アクティブ化させるためのものである請求項２７に記載の装置。
【請求項２９】
前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかは、
前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ることと、
前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないことと、を含む請求項２７又は請求項２８に記載の装置。
【請求項３０】
前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む請求項２９に記載の装置。
【請求項３１】
前記装置はさらに、
前記端末に第２の制御情報を送信するための第２の送信ユニットであって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示する第２の送信ユニットを含む請求項２７又は請求項２８に記載の装置。
【請求項３２】
前記第２の制御情報がＤＣＩ、又はＲＲＣシグナリング、又はＳＩである請求項３１に記載の装置。
【請求項３３】
前記装置はさらに、
前記端末機器に第１の構成情報を送信するための第３の送信ユニットであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものである第３の送信ユニットを含む請求項２７〜請求項３２のいずれか１項に記載の装置。
【請求項３４】
前記装置はさらに、
前記端末機器に第３の制御情報を送信するための第４の送信ユニットであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰであると指示するためのものである第４の送信ユニットを含む請求項２７〜請求項３２のいずれか１項に記載の装置。
【請求項３５】
コンピュータ記憶媒体であって、コンピュータ実行可能な命令が記憶され、該コンピュータ実行可能な命令がプロセッサによって実行される時、請求項１〜請求項９のいずれか１項に記載の方法のステップ、または、請求項１０〜請求項１７のいずれか１項に記載の方法のステップを実現するコンピュータ記憶媒体。
【発明の詳細な説明】
【技術分野】
【０００１】
本発明は、無線通信技術の分野に関し、特にリソース構成方法及び装置、コンピュータ記憶媒体に関する。
【背景技術】
【０００２】
ロングタームエボリューション（ＬＴＥ（登録商標）、Ｌｏｎｇ  Ｔｅｒｍ  Ｅｖｏｌｕｔｉｏｎ）システムにおいて、端末の周波数ドメインリソースは、システム帯域幅全体で配分されている。第５世代（５Ｇ、５ｔｈ  Ｇｅｎｅｒａｔｉｏｎ）ニューラジオ（ＮＲ、Ｎｅｗ  Ｒａｄｉｏ）システムにおいて、システム帯域幅を大幅に向上させるため、端末の伝送帯域幅は、システム帯域幅の一部しか占有しない可能性がある。
【０００３】
５Ｇ  ＮＲに対する現在の研究では、システム帯域幅より小さい範囲での周波数ドメインリソースの配分を実現するように、帯域幅部分（ＢＷＰ、Ｂａｎｄ  Ｗｉｄｔｈ  Ｐａｒｔ）の概念を導入することがすでに決定されている。基地局は、無線リソース制御（ＲＲＣ、Ｒａｄｉｏ  Ｒｅｓｏｕｒｃｅ  Ｃｏｎｔｒｏｌ）シグナリングを介して複数のＢＷＰを構成し、そして、ダウンリンク制御情報（ＤＣＩ、Ｄｏｗｎｌｉｎｋ  Ｃｏｎｔｒｏｌ  Ｉｎｆｏｒｍａｔｉｏｎ）で動的にとあるＢＷＰをアクティブ化する。各種類のＢＷがサブキャリア間隔、サイクリックプレフィックス（ＣＰ、Ｃｙｃｌｉｃ  Ｐｒｅｆｉｘ）を含むパラメータセットに基づくものである。現在の解決手段の場合、１つの端末について、１つのＢＷＰしかアクティブ化できず、１つの新たなＢＷＰをアクティブ化すると同時に、元のＢＷＰが非アクティブ化される。
【０００４】
図１に示すように、ＢＷＰ１がアクティブ化状態である場合、ＢＷＰ２をアクティブ化すると、ＢＷＰ１が非アクティブ化され、ＢＷＰ１も非アクティブ化されると、デフォルトのＢＷＰにフォールバックする。
【０００５】
従来の技術的解決手段で複数のＢＷＰの同時アクティブ化をサポートできないことによって、複数種のパラメータセットの同時使用をサポートすることも、複数種のタイプのサービスを並行して伝送する時に異なるサービスのそれぞれのパラメータセットを最適化することもできない。かつ、２種のパラメータセット間で切り替えると、２つのＢＷＰ間の切り替えも発生し、端末の無線周波数帯域幅も変換されるようになり、無線周波数帯域幅の変換によって一定の時間内での端末によるデータの送受信もできなくなり、これにより、周波数スペクトルリソースが浪費されるようになる。
【発明の概要】
【発明が解決しようとする課題】
【０００６】
本発明の実施例は、上記技術的問題を解決するために、リソース構成方法及び装置、コンピュータ記憶媒体を提供する。
【課題を解決するための手段】
【０００７】
本発明の実施例に係るリソース構成方法は、
端末がネットワーク機器によって送信された第１の制御情報を受信するステップであって、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであるステップと、
前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定し、前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記端末が前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するステップと、を含む。
【０００８】
本発明の実施例において、前記方法はさらに、
前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記端末が前記第２のダウンリンクＢＷＰと前記第２のアップリンクＢＷＰをアクティブ化すると同時に前記第１のダウンリンクＢＷＰと前記第１のアップリンクＢＷＰを非アクティブ化するステップを含む。
【０００９】
本発明の実施例において、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するステップは、
前記第１のダウンリンクＢＷＰ、前記第１のアップリンクＢＷＰ及び前記第２のダウンリンクＢＷＰ、前記第２のアップリンクＢＷＰが所定の規則を満たす場合、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定するステップと、
前記第１のダウンリンクＢＷＰ、前記第１のアップリンクＢＷＰ及び前記第２のダウンリンクＢＷＰ、前記第２のアップリンクＢＷＰが所定の規則を満たさない場合、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ないと決定するステップと、を含む。
【００１０】
本発明の実施例において、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【００１１】
本発明の実施例において、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するステップは、
前記端末がネットワーク機器によって送信された第２の制御情報を受信し、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示することを含む。
【００１２】
本発明の実施例において、前記第２の制御情報がＤＣＩ、又は無線リソース制御（ＲＲＣ、Ｒａｄｉｏ  Ｒｅｓｏｕｒｃｅ  Ｃｏｎｔｒｏｌ）シグナリング、又はシステム情報（ＳＩ、Ｓｙｓｔｅｍ  Ｉｎｆｏｒｍａｔｉｏｎ）である。
【００１３】
本発明の実施例において、前記方法はさらに、
前記端末が前記ネットワーク機器によって送信された第１の構成情報を受信するステップであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものであるステップと、
前記端末が前記第１の構成情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するステップと、を含む。
【００１４】
本発明の実施例において、前記方法はさらに、
前記端末が前記ネットワーク機器によって送信された第３の制御情報を受信するステップであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰであると指示するためのものであるステップと、
前記端末が前記第３の制御情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するステップと、を含む。
【００１５】
本発明の実施例において、前記方法はさらに、
前記第１のダウンリンクＢＷＰと前記第１のアップリンクＢＷＰ、及び、前記第２のダウンリンクＢＷＰと前記第２のアップリンクＢＷＰが、いずれも非アクティブ化された場合、デフォルトのＢＷＰをアクティブ化するステップを含む。
【００１６】
本発明の実施例に係るリソース構成方法は、
ネットワーク機器が端末に第１の制御情報を送信し、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであり、これにより、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定した場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するステップを含む。
【００１７】
本発明の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第１の指示情報は、前記第２のダウンリンクＢＷＰと前記第２のアップリンクＢＷＰをアクティブ化すると同時に、前記端末に前記第１のダウンリンクＢＷＰと前記第１のアップリンクＢＷＰを非アクティブ化させるためのものである。
【００１８】
本発明の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかは、
前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ることと、
前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないことと、を含む。
【００１９】
本発明の実施例において、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【００２０】
本発明の実施例において、前記方法はさらに、
前記ネットワーク機器が前記端末に第２の制御情報を送信するステップであって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示するステップを含む。
【００２１】
本発明の実施例において、前記第２の制御情報がＤＣＩ、又はＲＲＣシグナリング、又はＳＩである。
【００２２】
本発明の実施例において、前記方法はさらに、
前記ネットワーク機器が前記端末機器に第１の構成情報を送信するステップであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものであるステップを含む。
【００２３】
本発明の実施例において、前記方法はさらに、
前記ネットワーク機器が前記端末機器に第３の制御情報を送信するステップであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰであると指示するためのものであるステップを含む。
【００２４】
本発明の実施例に係るリソース構成装置は、
ネットワーク機器によって送信された第１の制御情報を受信するための第１の受信ユニットであって、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものである第１の受信ユニットと、
前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するための決定ユニットと、
前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するためのアクティブ化と非アクティブ化ユニットと、を含む。
【００２５】
本発明の実施例において、前記アクティブ化と非アクティブ化ユニットはさらに、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第２のダウンリンクＢＷＰと前記第２のアップリンクＢＷＰをアクティブ化すると同時に前記第１のダウンリンクＢＷＰと前記第１のアップリンクＢＷＰを非アクティブ化するためのものである。
【００２６】
本発明の実施例において、前記決定ユニットは、前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ると決定し、前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないと決定するためのものである。
【００２７】
本発明の実施例において、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【００２８】
本発明の実施例において、前記装置はさらに、
ネットワーク機器によって送信された第２の制御情報を受信するための第２の受信ユニットであって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示する第２の受信ユニットと、
前記第２の制御情報に基づいて前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するための前記決定ユニットと、を含む。
【００２９】
本発明の実施例において、前記第２の制御情報がＤＣＩ、又はシグナリング、又はＳＩである。
【００３０】
本発明の実施例において、前記装置はさらに、
前記ネットワーク機器によって送信された第１の構成情報を受信するための第３の受信ユニットであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものである第３の受信ユニットを含み、
前記アクティブ化と非アクティブ化ユニットは、さらに、前記第１の構成情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するためのものである。
【００３１】
本発明の実施例において、前記装置はさらに、
前記ネットワーク機器によって送信された第３の制御情報を受信するための第４の受信ユニットであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰであると指示するためのものである第４の受信ユニットを含み、
前記アクティブ化と非アクティブ化ユニットはさらに、前記第３の制御情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するためのものである。
【００３２】
本発明の実施例において、前記アクティブ化と非アクティブ化ユニットはさらに、前記第１のダウンリンクＢＷＰと前記第１のアップリンクＢＷＰ、及び、前記第２のダウンリンクＢＷＰと前記第２のアップリンクＢＷＰが、いずれも非アクティブ化された場合、デフォルトのＢＷＰをアクティブ化するためのものである。
【００３３】
本発明の実施例に係るリソース構成装置は、
端末に第１の制御情報を送信するための第１の送信ユニットであって、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであり、これにより、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定した場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持する第１の送信ユニットを含む。
【００３４】
本発明の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第１の指示情報は、前記第２のダウンリンクＢＷＰと前記第２のアップリンクＢＷＰをアクティブ化すると同時に、前記端末に前記第１のダウンリンクＢＷＰと前記第１のアップリンクＢＷＰを非アクティブ化させるためのものである。
【００３５】
本発明の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかは、
前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ることと、
前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないことと、を含む。
【００３６】
本発明の実施例において、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【００３７】
本発明の実施例において、前記装置はさらに、
前記端末に第２の制御情報を送信するための第２の送信ユニットであって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示する第２の送信ユニットを含む。
【００３８】
本発明の実施例において、前記第２の制御情報がＤＣＩ、又はＲＲＣシグナリング、又はＳＩである。
【００３９】
本発明の実施例において、前記装置はさらに、
前記端末機器に第１の構成情報を送信するための第３の送信ユニットであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものである第３の送信ユニットを含む。
【００４０】
本発明の実施例において、前記装置はさらに、
前記端末機器に第３の制御情報を送信するための第４の送信ユニットであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰであると指示するためのものである第４の送信ユニットを含む。
【００４１】
本発明の実施例に係るコンピュータ記憶媒体であって、コンピュータ実行可能な命令が記憶されており、該コンピュータ実行可能な命令がプロセッサによって実行される時、上記のリソース構成方法を実現する。
【発明の効果】
【００４２】
本発明の実施例の技術的解決手段では、端末がネットワーク機器によって送信された第１の制御情報を受信し、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであり、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定し、前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記端末が前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持する。本発明の実施例の技術的解決手段を採り、複数のＢＷＰペア（ＢＷＰ  ｐａｉｒ）を同時にアクティブ化できる形態を導入し、即ち、一定の条件では、ＢＷＰペアを非アクティブ化しないと同時に、他のＢＷＰペアを使用して信号を伝送し、これにより、複数のタイプのサービスの同時伝送を柔軟にサポートし、システムのスケジューリングの柔軟性と周波数スペクトルの利用率を向上する。
【図面の簡単な説明】
【００４３】
本明細書で説明する図面は、本発明のさらなる理解を提供するためのものであり、本願の一部を構成しており、本発明の例示的実施例及びそれらの説明は、本発明を解釈するためのものであり、本発明に対する過度の制限を構成しない。図面では、
【図１】アクティブ化状態であるＢＷＰが１つしかない場合の概略図である。
【図２】本発明の実施例に係るリソース構成方法のフローチャート１である。
【図３】本発明の実施例に係るリソース構成方法のフローチャート２である。
【図４】本発明の例１の概略図である。
【図５】本発明の例２の概略図である。
【図６】本発明の例３の概略図である。
【図７】本発明の例４の概略図である。
【図８】本発明の例５の概略図である。
【図９】本発明の例６の概略図である。
【図１０】本発明の例７の概略図である。
【図１１】本発明の例８の概略図である。
【図１２】本発明の実施例に係るリソース構成装置の構造構成概略図１である。
【図１３】本発明の実施例に係るリソース構成装置の構造構成概略図２である。
【図１４】本発明の実施例に係るコンピュータ機器の構造構成概略図である。
【発明を実施するための形態】
【００４４】
本発明の実施例の特徴及び技術的内容をより詳細に理解するために、以下は、図面を合わせて本発明の実施例の実現を詳細に説明し、添付の図面は参照説明のためだけであり、本発明の実施例を限定するためのものではない。
【００４５】
図２は、本発明の実施例に係るリソース構成方法のフローチャート１であり、図２に示すように、前記リソース構成方法は以下のステップを含む。
【００４６】
ステップ２０１において、端末がネットワーク機器によって送信された第１の制御情報を受信し、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものである。
【００４７】
本発明の実施例において、前記端末は、携帯電話、タブレット、ラップトップ、デスクトップなどのネットワークと通信できる任意の機器であってもよい。
【００４８】
本発明の実施例において、前記ネットワーク機器は、基地局、例えば、５ＧシステムのｇＮＢであってもよい。
【００４９】
本発明の実施例において、前記第１の制御情報は、ＤＣＩ又はメディアアクセス制御の制御要素（ＭＡＣ  ＣＥ、Ｍｅｄｉａ  Ａｃｃｅｓｓ  Ｃｏｎｔｒｏｌ  Ｃｏｎｔｒｏｌ  Ｅｌｅｍｅｎｔ）である。
【００５０】
ステップ２０２において、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定し、前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記端末が前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持する。
【００５１】
例えば、端末によってアクティブ化された現在のＢＷＰがダウンリンクＢＷＰ１とアップリンクＢＷＰ１であり、端末がネットワーク機器から第１の制御情報を受信し、前記第１の制御情報には、ダウンリンクＢＷＰ２又はアップリンクＢＷＰ２をアクティブ化するための指示情報が含まれており、ダウンリンクＢＷＰ１、アップリンクＢＷＰ１及びダウンリンクＢＷＰ２、アップリンクＢＷＰ２が同時にアクティブ化され得る場合、ダウンリンクＢＷＰ２、アップリンクＢＷＰ２をアクティブ化すると同時にダウンリンクＢＷＰ１、アップリンクＢＷＰ１が継続的にアクティブ化状態であるように維持する。
【００５２】
本発明の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記端末が前記第２のダウンリンクＢＷＰと前記第２のアップリンクＢＷＰをアクティブ化すると同時に前記第１のダウンリンクＢＷＰと前記第１のアップリンクＢＷＰを非アクティブ化する。
【００５３】
本発明の実施例において、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するステップは、以下の形態によって実現され得る。
【００５４】
形態１、前記第１のダウンリンクＢＷＰ、前記第１のアップリンクＢＷＰ及び前記第２のダウンリンクＢＷＰ、前記第２のアップリンクＢＷＰが所定の規則を満たす場合、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定する。前記第１のダウンリンクＢＷＰ、前記第１のアップリンクＢＷＰ及び前記第２のダウンリンクＢＷＰ、前記第２のアップリンクＢＷＰが所定の規則を満たさない場合、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ないと決定する。
【００５５】
本発明の実施例において、前記第１のダウンリンクＢＷＰ、前記第１のアップリンクＢＷＰ及び前記第２のダウンリンクＢＷＰ、前記第２のアップリンクＢＷＰが所定の規則を満たす場合は、
１）前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、
２）前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、及び
３）前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることの少なくとも１つを含む。
【００５６】
形態２、前記端末がネットワーク機器によって送信された第２の制御情報を受信し、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示する。
【００５７】
１つの実施形態では、前記第２の制御情報がＤＣＩ、又はＲＲＣシグナリング、又はＳＩである。
【００５８】
本発明の実施例において、前記端末は以下の形態によって既にアクティブ化状態であるＢＷＰを非アクティブ化することができる。
【００５９】
形態１、前記端末が前記ネットワーク機器によって送信された第１の構成情報を受信し、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含む。前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものであり、前記端末が前記第１の構成情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化する。
【００６０】
例えば、ダウンリンクＢＷＰ１、アップリンクＢＷＰ１に対するタイマーｔｉｍｅｒ１とダウンリンクＢＷＰ２、アップリンクＢＷＰ２に対するタイマーｔｉｍｅｒ２のいずれか１つのタイマーが期限切れになると、対応するＢＷＰが非アクティブ化される。
【００６１】
形態２、前記端末が前記ネットワーク機器によって送信された第３の制御情報を受信し、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰであると指示するためのものである。前記端末が前記第３の制御情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化する。
【００６２】
例えば、端末が第３の制御情報を受信し、前記第３の制御情報には、ダウンリンクＢＷＰ１、アップリンクＢＷＰ１、及び／又はダウンリンクＢＷＰ２、アップリンクＢＷＰ２を非アクティブ化するための指示情報が含まれており、対応するＢＷＰが非アクティブ化される。
【００６３】
１つの実施形態では、前記第１のダウンリンクＢＷＰと前記第１のアップリンクＢＷＰ、及び、前記第２のダウンリンクＢＷＰと前記第２のアップリンクＢＷＰが、いずれも非アクティブ化された場合、デフォルトのＢＷＰをアクティブ化する。
【００６４】
例えば、ダウンリンクＢＷＰ１、アップリンクＢＷＰ１、ダウンリンクＢＷＰ２、アップリンクＢＷＰ２が、いずれも非アクティブ化された後、アクティブ化されたＢＷＰがデフォルトのＢＷＰに変化される。
【００６５】
図３は、本発明の実施例に係るリソース構成方法のフローチャート２であり、図３に示すように、前記リソース構成方法は以下のステップを含む。
【００６６】
ステップ３０１において、ネットワーク機器が端末に第１の制御情報を送信し、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであり、これにより、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定した場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持する。
【００６７】
本発明の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第１の指示情報は、前記第２のダウンリンクＢＷＰと前記第２のアップリンクＢＷＰをアクティブ化すると同時に、前記端末に前記第１のダウンリンクＢＷＰと前記第１のアップリンクＢＷＰを非アクティブ化させるためのものである。
【００６８】
本発明の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかは、以下の形態によって決定され得る。
【００６９】
形態１、前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得る。前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ない。
【００７０】
１つの実施形態では、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【００７１】
形態２、前記ネットワーク機器が前記端末に第２の制御情報を送信し、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示する。
【００７２】
１つの実施形態では、前記第２の制御情報がＤＣＩ、又はＲＲＣシグナリング、又はＳＩである。
【００７３】
１つの実施形態では、前記方法はさらに、前記ネットワーク機器が前記端末機器に第１の構成情報を送信するステップであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものであるステップを含む。
【００７４】
１つの実施形態では、前記方法はさらに、前記ネットワーク機器が前記端末機器に第３の制御情報を送信するステップであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰであると指示するためのものであるステップを含む。
【００７５】
以下は具体的な応用例を合わせて本発明の実施例の技術的解決手段についてさらに説明する。
【００７６】
例１において、ＤＬ  ＢＷＰ１とＤＬ  ＢＷＰ２の中心周波数と帯域幅の大きさが一致し、ＵＬ  ＢＷＰ１とＵＬ  ＢＷＰ２の中心周波数と帯域幅の大きさが一致し、ＢＷＰ２がＢＷＰ１より先に非アクティブ化される。
【００７７】
図４のように、従来の技術的解決手段とは異なり、ＤＬ  ＢＷＰ１、ＵＬ  ＢＷＰ１がアクティブ化状態である場合、ＤＬ  ＢＷＰ２、ＵＬ  ＢＷＰ２をアクティブ化すると、ＤＬ  ＢＷＰ２とＤＬ  ＢＷＰ１の中心周波数と帯域幅が一致し、ＵＬ  ＢＷＰ２とＵＬ  ＢＷＰ１の中心周波数と帯域幅が一致し、端末の無線周波数帯域幅と中心周波数が依然として調整しなくてもよいため、ＤＬ  ＢＷＰ１、ＵＬ  ＢＷＰ  １が非アクティブ化されることなく、ＤＬ  ＢＷＰ１、ＵＬ  ＢＷＰ  １及びＤＬ  ＢＷＰ２、ＵＬ  ＢＷＰ２が同時にアクティブ化状態である。ＤＬ  ＢＷＰ２、ＵＬ  ＢＷＰ２が非アクティブ化された（例えば、ＤＬ  ＢＷＰ２、ＵＬ  ＢＷＰ２に対するｔｉｍｅｒが期限切れになる）後、ＤＬ  ＢＷＰ１、ＵＬ  ＢＷＰ  １しかアクティブ化されなかった（例えば、ＤＬ  ＢＷＰ１、ＵＬ  ＢＷＰ１に対するｔｉｍｅｒが期限切れになる）状態に戻る。ＤＬ  ＢＷＰ１、ＵＬ  ＢＷＰ  １も非アクティブ化された場合、デフォルトのＤＬ  ＢＷＰとデフォルトのＵＬ  ＢＷＰにフォールバックする。
【００７８】
新たな技術的手段を採ることによって、端末の無線周波数帯域幅と中心周波数を調整しない状況で、２種のパラメータセットを同時にサポートすることができ、これにより、複数のタイプのサービスの同時伝送を柔軟にサポートし、システムのスケジューリングの柔軟性と周波数スペクトルの利用率を向上する。
【００７９】
例２、ＤＬ  ＢＷＰ１とＤＬ  ＢＷＰ２の中心周波数と帯域幅の大きさが一致し、ＵＬ  ＢＷＰ１とＵＬ  ＢＷＰ２の中心周波数と帯域幅の大きさが一致し、ＢＷＰ１がＢＷＰ２より先に非アクティブ化される。
【００８０】
図５のように、従来の技術的解決手段とは異なり、ＤＬ  ＢＷＰ１、ＵＬ  ＢＷＰ１がアクティブ化状態である場合、ＤＬ  ＢＷＰ２、ＵＬ  ＢＷＰ２をアクティブ化すると、ＤＬ  ＢＷＰ２とＤＬ  ＢＷＰ１の中心周波数と帯域幅が一致し、ＵＬ  ＢＷＰ２とＵＬ  ＢＷＰ１の中心周波数と帯域幅が一致し、端末の無線周波数帯域幅と中心周波数が依然として調整しなくてもよいため、ＤＬ  ＢＷＰ１、ＵＬ  ＢＷＰ  １が非アクティブ化されることなく、ＤＬ  ＢＷＰ１、ＵＬ  ＢＷＰ  １及びＤＬ  ＢＷＰ２、ＵＬ  ＢＷＰ２が同時にアクティブ化状態である。実施例１との相違点は、本実施例において、Ｌ  ＢＷＰ１、ＵＬ  ＢＷＰ  １がＤＬ  ＢＷＰ２、ＵＬ  ＢＷＰ２より先に非アクティブ化され（例えば、ＤＬ  ＢＷＰ１、ＵＬ  ＢＷＰ１に対するｔｉｍｅｒが期限切れになる）、この時、ＤＬ  ＢＷＰ２、ＵＬ  ＢＷＰ２しかアクティブ化されなかった状態に入る。ＤＬ  ＢＷＰ２、ＵＬ  ＢＷＰ２も非アクティブ化された（例えば、ＤＬ  ＢＷＰ２、ＵＬ  ＢＷＰ２に対するｔｉｍｅｒが期限切れになる）場合、デフォルトのＤＬ  ＢＷＰとデフォルトのＵＬ  ＢＷＰにフォールバックする。
【００８１】
新たな技術的手段を採ることによって、端末の無線周波数帯域幅と中心周波数を調整しない状況で、２種のパラメータセットを同時にサポートすることができ、これにより、複数のタイプのサービスの同時伝送を柔軟にサポートし、システムのスケジューリングの柔軟性と周波数スペクトルの利用率を向上させる。
【００８２】
例３、ＤＬ  ＢＷＰ１とＤＬ  ＢＷＰ２の中心周波数が一致し、かつ、ＤＬ  ＢＷＰ２の帯域幅がＤＬ  ＢＷＰ１より小さく、ＵＬ  ＢＷＰ１とＵＬ  ＢＷＰ２の中心周波数が一致し、かつ、ＵＬ  ＢＷＰ２の帯域幅がＵＬ  ＢＷＰ１より小さく、ＢＷＰ２がＢＷＰ１より先に非アクティブ化される。
【００８３】
図６のように、従来の技術的解決手段とは異なり、ＤＬ  ＢＷＰ１、ＵＬ  ＢＷＰ１がアクティブ化状態である場合、ＤＬ  ＢＷＰ２、ＵＬ  ＢＷＰ２をアクティブ化すると、ＤＬ  ＢＷＰ２とＤＬ  ＢＷＰ１の中心周波数が一致し、かつ、ＤＬ  ＢＷＰ２の帯域幅がＤＬ  ＢＷＰ１より小さく、ＵＬ  ＢＷＰ２とＵＬ  ＢＷＰ１の中心周波数が一致し、かつ、ＵＬ  ＢＷＰ２の帯域幅がＵＬ  ＢＷＰ１より小さく、端末の無線周波数帯域幅と中心周波数が依然として調整しなくてもよいため、ＤＬ  ＢＷＰ１、ＵＬ  ＢＷＰ  １が非アクティブ化されることなく、ＤＬ  ＢＷＰ１、ＵＬ  ＢＷＰ  １及びＤＬ  ＢＷＰ２、ＵＬ  ＢＷＰ２が同時にアクティブ化状態である。ＤＬ  ＢＷＰ２、ＵＬ  ＢＷＰ２が非アクティブ化された（例えば、ＤＬ  ＢＷＰ２、ＵＬ  ＢＷＰ２に対するｔｉｍｅｒが期限切れになる）後、ＤＬ  ＢＷＰ１、ＵＬ  ＢＷＰ  １しかアクティブ化されなかった状態（例えば、ＤＬ  ＢＷＰ１、ＵＬ  ＢＷＰ１に対するｔｉｍｅｒが期限切れになる）に戻る。ＤＬ  ＢＷＰ１、ＵＬ  ＢＷＰ  １も非アクティブ化された場合、デフォルトのＤＬ  ＢＷＰとデフォルトのＵＬ  ＢＷＰにフォールバックする。
【００８４】
新たな技術的手段を採ることによって、端末の無線周波数帯域幅と中心周波数を調整しない状況で、２種のパラメータセット及び／又は２種の帯域幅を同時にサポートすることができ、これにより、複数のタイプのサービスの同時伝送を柔軟にサポートし、システムのスケジューリングの柔軟性と周波数スペクトルの利用率を向上させる。
【００８５】
例４、ＤＬ  ＢＷＰ１とＤＬ  ＢＷＰ２の中心周波数が一致し、かつ、ＤＬ  ＢＷＰ２の帯域幅がＤＬ  ＢＷＰ１より小さく、ＵＬ  ＢＷＰ１とＵＬ  ＢＷＰ２の中心周波数が一致し、かつ、ＵＬ  ＢＷＰ２の帯域幅がＵＬ  ＢＷＰ１より小さく、ＢＷＰ１がＢＷＰ２より先に非アクティブ化される。
【００８６】
図７のように、従来の技術的解決手段とは異なり、ＤＬ  ＢＷＰ１、ＵＬ  ＢＷＰ１がアクティブ化状態である場合、ＤＬ  ＢＷＰ２、ＵＬ  ＢＷＰ２をアクティブ化すると、ＤＬ  ＢＷＰ２とＤＬ  ＢＷＰ１の中心周波数が一致し、かつ、ＤＬ  ＢＷＰ２の帯域幅がＤＬ  ＢＷＰ１より小さく、ＵＬ  ＢＷＰ２とＵＬ  ＢＷＰ１の中心周波数が一致し、かつ、ＵＬ  ＢＷＰ２の帯域幅がＵＬ  ＢＷＰ１より小さく、端末の無線周波数帯域幅と中心周波数が依然として調整しなくてもよいため、ＤＬ  ＢＷＰ１、ＵＬ  ＢＷＰ  １が非アクティブ化されることなく、ＤＬ  ＢＷＰ１、ＵＬ  ＢＷＰ  １及びＤＬ  ＢＷＰ２、ＵＬ  ＢＷＰ２が同時にアクティブ化状態である。実施例３との相違点は、本実施例において、ＤＬ  ＢＷＰ１、ＵＬ  ＢＷＰ  １がＤＬ  ＢＷＰ２、ＵＬ  ＢＷＰ２より先に非アクティブ化され（例えば、ＤＬ  ＢＷＰ１、ＵＬ  ＢＷＰ１に対するｔｉｍｅｒが期限切れになる）、この時、ＤＬ  ＢＷＰ２、ＵＬ  ＢＷＰ２しかアクティブ化されなかった状態に入る。ＤＬ  ＢＷＰ２、ＵＬ  ＢＷＰ２も非アクティブ化された（例えば、ＤＬ  ＢＷＰ２、ＵＬ  ＢＷＰ２に対するｔｉｍｅｒが期限切れになる）場合、デフォルトのＤＬ  ＢＷＰとデフォルトのＵＬ  ＢＷＰにフォールバックする。
【００８７】
新たな技術的手段を採ることによって、端末の無線周波数帯域幅と中心周波数を調整しない状況で、２種のパラメータセット及び／又は２種の帯域幅を同時にサポートすることができ、これにより、複数のタイプのサービスの同時伝送を柔軟にサポートし、システムのスケジューリングの柔軟性と周波数スペクトルの利用率を向上する。
【００８８】
例５、ＤＬ  ＢＷＰ１とＤＬ  ＢＷＰ２の中心周波数が一致しないが、ＤＬ  ＢＷＰ２の周波数ドメイン範囲がＤＬ  ＢＷＰ１の周波数ドメイン範囲内であり、ＵＬ  ＢＷＰ１とＵＬ  ＢＷＰ２の中心周波数が一致しないが、ＵＬ  ＢＷＰ２の周波数ドメイン範囲がＵＬ  ＢＷＰ１の周波数ドメイン範囲内であり、ＢＷＰ２がＢＷＰ１より先に非アクティブ化される。
【００８９】
図８のように、従来の技術的解決手段とは異なり、ＤＬ  ＢＷＰ１とＵＬ  ＢＷＰ１がアクティブ化状態である場合、ＤＬ  ＢＷＰ２とＵＬ  ＢＷＰ２をアクティブ化すると、ＤＬ  ＢＷＰ２とＤＬ  ＢＷＰ１の中心周波数が一致しないが、ＤＬ  ＢＷＰ２の周波数ドメイン範囲がＤＬ  ＢＷＰ１の周波数ドメイン範囲内であり、ＵＬ  ＢＷＰ２の周波数ドメイン範囲がＵＬ  ＢＷＰ１の周波数ドメイン範囲内であり、端末の無線周波数帯域幅と中心周波数が依然として調整しなくてもよいため、ＤＬ  ＢＷＰ１とＵＬ  ＢＷＰ１が非アクティブ化されることなく、ＤＬ  ＢＷＰ１、ＵＬ  ＢＷＰ  １及びＤＬ  ＢＷＰ２、ＵＬ  ＢＷＰ２が同時にアクティブ化状態である。ＤＬ  ＢＷＰ２、ＵＬ  ＢＷＰ２が非アクティブ化された（例えば、ＤＬ  ＢＷＰ２、ＵＬ  ＢＷＰ２に対するｔｉｍｅｒが期限切れになる）後、ＤＬ  ＢＷＰ１、ＵＬ  ＢＷＰ  １しかアクティブ化されなかった状態（例えば、ＤＬ  ＢＷＰ１、ＵＬ  ＢＷＰ１に対するｔｉｍｅｒが期限切れになる）に戻る。ＤＬ  ＢＷＰ１、ＵＬ  ＢＷＰ  １も非アクティブ化された場合、デフォルトのＤＬ  ＢＷＰとデフォルトのＵＬ  ＢＷＰにフォールバックする。
【００９０】
新たな技術的手段を採ることによって、端末の無線周波数帯域幅と中心周波数を調整しない状況で、２種のパラメータセット及び／又は２種の帯域幅を同時にサポートすることができ、これにより、複数のタイプのサービスの同時伝送を柔軟にサポートし、システムのスケジューリングの柔軟性と周波数スペクトルの利用率を向上する。
【００９１】
例６、ＤＬ  ＢＷＰ１とＤＬ  ＢＷＰ２の中心周波数が一致しないが、ＤＬ  ＢＷＰ２の周波数ドメイン範囲がＤＬ  ＢＷＰ１の周波数ドメイン範囲内であり、ＵＬ  ＢＷＰ１とＵＬ  ＢＷＰ２の中心周波数が一致しないが、ＵＬ  ＢＷＰ２の周波数ドメイン範囲がＵＬ  ＢＷＰ１の周波数ドメイン範囲内であり、ＢＷＰ１がＢＷＰ２より先に非アクティブ化される。
【００９２】
図９のように、従来の技術的解決手段とは異なり、ＤＬ  ＢＷＰ１とＵＬ  ＢＷＰ１がアクティブ化状態である場合、ＤＬ  ＢＷＰ２とＵＬ  ＢＷＰ２をアクティブ化すると、ＤＬ  ＢＷＰ２とＤＬ  ＢＷＰ１の中心周波数が一致しないが、ＤＬ  ＢＷＰ２の周波数ドメイン範囲がＤＬ  ＢＷＰ１の周波数ドメイン範囲内であり、ＵＬ  ＢＷＰ２の周波数ドメイン範囲がＵＬ  ＢＷＰ１の周波数ドメイン範囲内であり、端末の無線周波数帯域幅と中心周波数が依然として調整しなくてもよいため、ＤＬ  ＢＷＰ１とＵＬ  ＢＷＰ１が非アクティブ化されることなく、ＤＬ  ＢＷＰ１、ＵＬ  ＢＷＰ  １及びＤＬ  ＢＷＰ２、ＵＬ  ＢＷＰ２が同時にアクティブ化状態である。実施例５との相違点は、本実施例において、ＤＬ  ＢＷＰ１、ＵＬ  ＢＷＰ  １がＤＬ  ＢＷＰ２、ＵＬ  ＢＷＰ２より先に非アクティブ化され（例えば、ＤＬ  ＢＷＰ１、ＵＬ  ＢＷＰ１に対するｔｉｍｅｒが期限切れになる）、この時、ＤＬ  ＢＷＰ２、ＵＬ  ＢＷＰ２しかアクティブ化されなかった状態に入る。ＤＬ  ＢＷＰ２、ＵＬ  ＢＷＰ２も非アクティブ化された（例えば、ＤＬ  ＢＷＰ２、ＵＬ  ＢＷＰ２に対するｔｉｍｅｒが期限切れになる）場合、デフォルトのＤＬ  ＢＷＰとデフォルトのＵＬ  ＢＷＰにフォールバックする。
【００９３】
新たな技術的手段を採ることによって、端末の無線周波数帯域幅と中心周波数を調整しない状況で、２種のパラメータセット及び／又は２種の帯域幅を同時にサポートすることができ、これにより、複数のタイプのサービスの同時伝送を柔軟にサポートし、システムのスケジューリングの柔軟性と周波数スペクトルの利用率を向上する。
【００９４】
例７、ＤＬ  ＢＷＰ１と１つしかアクティブ化しない。
【００９５】
図１０のように、例３とは異なり、ＤＬ  ＢＷＰ１とＵＬ  ＢＷＰ１がアクティブ化状態である場合、ダウンリンクアクティブ化ＢＷＰであるＤＬ  ＢＷＰ２を１つだけ増加し、ペアになるアクティブ化状態であるＤＬ  ＢＷＰ１とＵＬ  ＢＷＰ１があるため、ＵＬ  ＢＷＰ２がＤＬ  ＢＷＰ２とペアになるようにアクティブ化されなくてもよい。
【００９６】
例８、ＵＬ  ＢＷＰ１と１つしかアクティブ化しない。
【００９７】
図１１のように、例４とは異なり、ＤＬ  ＢＷＰ１とＵＬ  ＢＷＰ１がアクティブ化状態である場合、アップリンクアクティブ化ＢＷＰであるＵＬ  ＢＷＰ２を１つだけ増加し、ペアになるアクティブ化状態であるＤＬ  ＢＷＰ１とＵＬ  ＢＷＰ１があるため、ＤＬ  ＢＷＰ２がＵＬ  ＢＷＰ２とペアになるようにアクティブ化されなくてもよい。
【００９８】
図１２は、本発明の実施例に係るリソース構成装置の構造構成概略図１であり、図１２に示すように、前記リソース構成装置は、
ネットワーク機器によって送信された第１の制御情報を受信するための第１の受信ユニット１２０１であって、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものである第１の受信ユニット１２０１と、
前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するための決定ユニット１２０２と、
前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するためのアクティブ化と非アクティブ化ユニット１２０３と、を含む。
【００９９】
１つの実施形態では、前記アクティブ化と非アクティブ化ユニット１２０３はさらに、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第２のダウンリンクＢＷＰと前記第２のアップリンクＢＷＰをアクティブ化すると同時に前記第１のダウンリンクＢＷＰと前記第１のアップリンクＢＷＰを非アクティブ化するためのものである。
【０１００】
１つの実施形態では、前記決定ユニット１２０２は、前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ると決定し、前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないと決定するためのものである。
【０１０１】
１つの実施形態では、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【０１０２】
１つの実施形態では、前記装置はさらに、
ネットワーク機器によって送信された第２の制御情報を受信するための第２の受信ユニット１２０４であって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示するための第２の受信ユニット１２０４と、
前記第２の制御情報に基づいて前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するための前記決定ユニット１２０２と、を含む。
【０１０３】
１つの実施形態では、前記第２の制御情報がＤＣＩ、又はシグナリング、又はＳＩである。
【０１０４】
１つの実施形態では、前記装置はさらに、
前記ネットワーク機器によって送信された第１の構成情報を受信するための第３の受信ユニット１２０５であって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものである第３の受信ユニット１２０５を含み、
前記アクティブ化と非アクティブ化ユニット１２０３はさらに、前記第１の構成情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するためのものである。
【０１０５】
１つの実施形態では、前記装置はさらに、
前記ネットワーク機器によって送信された第３の制御情報を受信するための第４の受信ユニット１２０６であって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰであると指示するためのものである第４の受信ユニット１２０６を含み、
前記アクティブ化と非アクティブ化ユニット１２０３はさらに、前記第３の制御情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するためのものである。
【０１０６】
１つの実施形態では、前記アクティブ化と非アクティブ化ユニット１２０３はさらに、前記第１のダウンリンクＢＷＰと前記第１のアップリンクＢＷＰ、及び、前記第２のダウンリンクＢＷＰと前記第２のアップリンクＢＷＰが、いずれも非アクティブ化された場合、デフォルトのＢＷＰをアクティブ化するためのものである。
【０１０７】
当業者は、図１２に示すようなリソース構成装置の各ユニットの実現機能が前述したリソース構成方法の関連説明を参照して理解できることを理解すべきである。図１２に示すようなリソース構成装置の各ユニットの機能がプロセッサで実行されているプログラムによって実現されてもよく、具体的なロジック回路によって実現されてもよい。
【０１０８】
図１３は、本発明の実施例に係るリソース構成装置の構造構成概略図２であり、図１３に示すように、前記リソース構成装置は、
端末に第１の制御情報を送信するための第１の送信ユニット１３０１であって、前記端末によってアクティブ化された現在のＢＷＰが第１のダウンリンクＢＷＰと第１のアップリンクＢＷＰであり、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであり、これにより、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定した場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持する第１の送信ユニット１３０１を含む。
【０１０９】
１つの実施形態では、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第１の指示情報は、前記第２のダウンリンクＢＷＰと前記第２のアップリンクＢＷＰをアクティブ化すると同時に、前記端末に前記第１のダウンリンクＢＷＰと前記第１のアップリンクＢＷＰを非アクティブ化させるためのものである。
【０１１０】
１つの実施形態では、前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかは、
前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ることと、
前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないことと、を含む。
【０１１１】
１つの実施形態では、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【０１１２】
１つの実施形態では、前記装置はさらに、
前記端末に第２の制御情報を送信するための第２の送信ユニット１３０２であって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示する第２の送信ユニット１３０２を含む。
【０１１３】
１つの実施形態では、前記第２の制御情報がＤＣＩ、又はＲＲＣシグナリング、又はＳＩである。
【０１１４】
１つの実施形態では、前記装置はさらに、
前記端末機器に第１の構成情報を送信するための第３の送信ユニット１３０３であって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものである第３の送信ユニット１３０３を含む。
【０１１５】
１つの実施形態では、前記装置はさらに、
前記端末機器に第３の制御情報を送信するための第４の送信ユニット１３０４であって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰであると指示するためのものである第４の送信ユニット１３０４を含む。
【０１１６】
当業者は、図１３に示すようなリソース構成装置の各ユニットの実現機能が前述したリソース構成方法の関連説明を参照して理解できることを理解すべきである。図１３に示すようなリソース構成装置の各ユニットの機能がプロセッサで実行されているプログラムによって実現されてもよく、具体的なロジック回路によって実現されてもよい。
【０１１７】
本発明の実施例による上記リソース構成装置は、ソフトウェア機能ユニットの形で実施され、独立した製品として販売または使用される場合、１つのコンピュータ可読記憶媒体に記憶されることができる。このような理解に基づき、本発明の実施例の技術的解決手段は、本質的にソフトウェア製品の形で具現化されてもよく、従来の技術に寄与する部分が、ソフトウェア製品の形で具現化されてもよく、該コンピューターソフトウェア製品は、１つの記憶媒体に記憶され、コンピュータ機器（パーソナルコンピュータ、サーバ、又はネットワーク機器などであってもよい）に、本発明の各実施例の前記方法のすべて又は一部を実行させるためのいくつかの命令を含む。前述した記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスク、又はコンパクトディスクなどプログラムコードを記憶できる様々な媒体を含む。このように、本発明の実施例は特定したハードウェアとソフトウェアの任意の組み合わせに限定されない。
【０１１８】
対応的に、本発明の実施例はさらに、コンピュータ記憶媒体を提供し、前記コンピュータ記憶媒体にはコンピュータ実行可能な命令が記憶され、該コンピュータ実行可能な命令がプロセッサによって実行される時、本発明の実施例に係る上記リソース構成方法を実現する。
【０１１９】
図１４は、本発明の実施例に係るコンピュータ機器の構造構成概略図であり、該コンピュータ機器は、端末であってもよく、ネットワーク機器であってもよい。図１４に示すように、コンピュータ機器１００は、１つ又は複数（１つのみが図示されている）のプロセッサ１００２（プロセッサ１００２は、マイクロプロセッサ（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）などの処理装置を含んでもよいが、それらに限定されない）、データを記憶するためのメモリ１００４、及び通信機能用の伝送装置１００６を含んでもよい。当業者は、図１４に示すような構造が例示的なものにすぎず、上記電子装置の構造を限定するようなものではないと理解できる。例えば、コンピュータ機器１００はさらに、図１４に示したコンポーネントより数多く又は数少ないコンポーネントを含んでもよく、または、図１４に示した構成と異なる構成を持ってもよい。
【０１２０】
メモリ１００４は、本発明の実施例における方法に対応するプログラム命令／モジュールなどのアプリケーションプログラムのソフトウェアプログラム及びモジュールを記憶するために使用され得る。プロセッサ１００２は、メモリ１００４に記憶されたソフトウェアプログラム及びモジュールを実行することにより、様々な機能アプリケーション及びデータ処理を実行し、即ち、上記方法を実現する。メモリ１００４は、高速ランダムアクセスメモリを含んでもよく、また、例えば、１つ又は複数の磁気記憶装置、フラッシュメモリ、又は他の不揮発性ソリッドステートメモリなどの不揮発性メモリを含んでもよい。いくつかの実例では、メモリ１００４は、プロセッサ１００２に対してリモートで設置されたメモリをさらに含んでもよく、これらのリモートメモリは、ネットワークを介してコンピュータ機器１００に接続することができる。上記ネットワークの実例は、インターネット、イントラネット、ローカルエリアネットワーク、モバイル通信ネットワーク、及びそれらの組み合わせを含むが、それらに限定されない。
【０１２１】
伝送装置１００６は、１つのネットワークを介してデータを受信又は送信するためのものである。上記のネットワークの具体的な実例は、コンピュータ機器１００の通信事業者が提供する無線ネットワークを含んでもよい。１つの実例では、伝送装置１００６は、基地局を介して他のネットワークデバイスに接続することによってインターネットと通信することができる１つのネットワークインタフェースコントローラ（ＮＩＣ、Ｎｅｔｗｏｒｋ  Ｉｎｔｅｒｆａｃｅ  Ｃｏｎｔｒｏｌｌｅｒ）を含む。１つの実例では、伝送装置１００６は、無線の方式でインターネットと通信するための無線周波数（ＲＦ、Ｒａｄｉｏ  Ｆｒｅｑｕｅｎｃｙ）モジュールであってもよい。
【０１２２】
本発明の実施例に記載の技術的解決手段は、競合することなく任意に組み合わせることができる。
【０１２３】
本発明に係るいくつかの実施例では、開示された方法及びスマート機器は、他の方式で実現することができると理解すべきである。以上に説明された機器の実施例は例示的なものにすぎず、例えば、前記ユニットの分割は、論理機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、説明又は検討した各コンポーネントの互いの結合又は直接的な結合又は通信接続は、いくつかのインタフェース、機器又はユニットを用いる間接的結合又は通信接続であってもよく、電気的形態、機械的形態又はその他の形態であってもよい。
【０１２４】
上記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。実際の必要に応じて、一部のユニットだけを用いるか、又はすべてのユニットを使用して本実施例に係る解決手段の目的を達成することができる。
【０１２５】
また、本発明の各実施例では、各機能ユニットが１つの第２の処理ユニットに集積されてもよいが、各ユニットがそれぞれ単独で１つのユニットとして存在するか、又は２つかまたは２つ以上のユニットが１つのユニットに集積されてもよい。上記集積されたユニットはハードウェアの形で実現されてもよく、ハードウェアとソフトウェア機能ユニットの形で実現されてもよい。
【０１２６】
以上の内容は、本発明の具体的実施形態にすぎず、本発明の保護範囲はこれらに限定されず、当業者であれば、本発明で開示される技術的範囲内に、容易に想像しうる全ての変更又は置換は、いずれも本発明の保護範囲内に含まれるべきである。
【図１】
2021517383.tif 000003
【図２】
2021517383.tif 000004
【図３】
2021517383.tif 000005
【図４】
2021517383.tif 000006
【図５】
2021517383.tif 000007
【図６】
2021517383.tif 000008
【図７】
2021517383.tif 000009
【図８】
2021517383.tif 000010
【図９】
2021517383.tif 000011
【図１０】
2021517383.tif 000012
【図１１】
2021517383.tif 000013
【図１２】
2021517383.tif 000014
【図１３】
2021517383.tif 000015
【図１４】
2021517383.tif 000016
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
リソース構成方法であって、前記方法は、
端末がネットワーク機器によって送信された第１の制御情報を受信するステップであって、前記端末によってアクティブ化された帯域幅部分ＢＷＰが第１のダウンリンクＢＷＰと第１のアップリンクＢＷＰを含み、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであるステップと、
前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定し、前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記端末が前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するステップと、を含むリソース構成方法。
【請求項２】
前記方法はさらに、
前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記端末が前記第２のダウンリンクＢＷＰと前記第２のアップリンクＢＷＰをアクティブ化すると同時に前記第１のダウンリンクＢＷＰと前記第１のアップリンクＢＷＰを非アクティブ化するステップを含む請求項１に記載の方法。
【請求項３】
前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するステップは、
前記第１のダウンリンクＢＷＰ、前記第１のアップリンクＢＷＰ及び前記第２のダウンリンクＢＷＰ、前記第２のアップリンクＢＷＰが所定の規則を満たす場合、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定するステップと、
前記第１のダウンリンクＢＷＰ、前記第１のアップリンクＢＷＰ及び前記第２のダウンリンクＢＷＰ、前記第２のアップリンクＢＷＰが所定の規則を満たさない場合、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ないと決定するステップと、を含む請求項１又は請求項２に記載の方法。
【請求項４】
前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む請求項３に記載の方法。
【請求項５】
前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するステップは、
端末がネットワーク機器によって送信された第２の制御情報を受信するステップであって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示するステップを含む請求項１又は請求項２に記載の方法。
【請求項６】
前記方法はさらに、
前記端末が前記ネットワーク機器によって送信された第１の構成情報を受信するステップであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものであるステップと、
前記端末が前記第１の構成情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するステップと、を含む、または
前記端末が前記ネットワーク機器によって送信された第３の制御情報を受信するステップであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰを含むと指示するためのものであるステップと、
前記端末が前記第３の制御情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するステップと、を含む請求項１〜請求項５のいずれか１項に記載の方法。
【請求項７】
リソース構成装置であって、前記装置は、
ネットワーク機器によって送信された第１の制御情報を受信するための第１の受信ユニットであって、端末によってアクティブ化された帯域幅部分のＢＷＰが第１のダウンリンクＢＷＰと第１のアップリンクＢＷＰを含み、前記第１の制御情報が第１の指示情報を含み、前記第１の指示情報はアクティブ化しようとするＢＷＰが第２のダウンリンクＢＷＰ又は第２のアップリンクＢＷＰであると指示するためのものである第１の受信ユニットと、
前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するための決定ユニットと、
前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するためのアクティブ化と非アクティブ化ユニットと、を含むリソース構成装置。
【請求項８】
前記アクティブ化と非アクティブ化ユニットはさらに、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第２のダウンリンクＢＷＰと前記第２のアップリンクＢＷＰをアクティブ化すると同時に前記第１のダウンリンクＢＷＰと前記第１のアップリンクＢＷＰを非アクティブ化するためのものである請求項７に記載の装置。
【請求項９】
前記決定ユニットは、前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ると決定し、前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないと決定するためのものである請求項７又は請求項８に記載の装置。
【請求項１０】
前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む請求項９に記載の装置。
【請求項１１】
前記装置はさらに、
前記ネットワーク機器によって送信された第２の制御情報を受信するための第２の受信ユニットであって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示するための第２の受信ユニットと、
前記第２の制御情報に基づいて前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するための前記決定ユニットと、を含む請求項７又は請求項８に記載の装置。
【請求項１２】
前記第２の制御情報がダウンリンク制御情報ＤＣＩ、又は無線リソース制御ＲＲＣシグナリング、又はシステム情報ＳＩである請求項１１に記載の装置。
【請求項１３】
前記装置はさらに、
前記ネットワーク機器によって送信された第１の構成情報を受信するための第３の受信ユニットであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものである第３の受信ユニットを含み、
前記アクティブ化と非アクティブ化ユニットは、さらに、前記第１の構成情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するためのものであり、または
前記装置はさらに、
前記ネットワーク機器によって送信された第３の制御情報を受信するための第４の受信ユニットであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰを含むと指示するためのものである第４の受信ユニットを含み、
前記アクティブ化と非アクティブ化ユニットはさらに、前記第３の制御情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するためのものである請求項７〜請求項１２のいずれか１項に記載の装置。
【請求項１４】
前記アクティブ化と非アクティブ化ユニットはさらに、前記第１のダウンリンクＢＷＰと前記第１のアップリンクＢＷＰ、及び、前記第２のダウンリンクＢＷＰと前記第２のアップリンクＢＷＰが、いずれも非アクティブ化された場合、デフォルトのＢＷＰをアクティブ化するためのものである請求項１３に記載の装置。
【請求項１５】
コンピュータ記憶媒体であって、コンピュータ実行可能な命令が記憶され、該コンピュータ実行可能な命令がプロセッサによって実行される時、請求項１〜請求項６のいずれか１項に記載の方法のステップを実現するコンピュータ記憶媒体。
【手続補正２】
【補正対象書類名】明細書
【補正対象項目名】全文
【補正方法】変更
【補正の内容】
【発明の詳細な説明】
【技術分野】
【０００１】
本願は、無線通信技術の分野に関し、特にリソース構成方法及び装置、コンピュータ記憶媒体に関する。
【背景技術】
【０００２】
ロングタームエボリューション（ＬＴＥ（登録商標）、Ｌｏｎｇ  Ｔｅｒｍ  Ｅｖｏｌｕｔｉｏｎ）システムにおいて、端末の周波数ドメインリソースは、システム帯域幅全体で配分されている。第５世代（５Ｇ、５ｔｈ  Ｇｅｎｅｒａｔｉｏｎ）ニューラジオ（ＮＲ、Ｎｅｗ  Ｒａｄｉｏ）システムにおいて、システム帯域幅を大幅に向上させるため、端末の伝送帯域幅は、システム帯域幅の一部しか占有しない可能性がある。
【０００３】
５Ｇ  ＮＲに対する現在の研究では、システム帯域幅より小さい範囲での周波数ドメインリソースの配分を実現するように、帯域幅部分（ＢＷＰ、Ｂａｎｄ  Ｗｉｄｔｈ  Ｐａｒｔ）の概念を導入することがすでに決定されている。基地局は、無線リソース制御（ＲＲＣ、Ｒａｄｉｏ  Ｒｅｓｏｕｒｃｅ  Ｃｏｎｔｒｏｌ）シグナリングを介して複数のＢＷＰを構成し、そして、ダウンリンク制御情報（ＤＣＩ、Ｄｏｗｎｌｉｎｋ  Ｃｏｎｔｒｏｌ  Ｉｎｆｏｒｍａｔｉｏｎ）で動的にとあるＢＷＰをアクティブ化する。各種類のＢＷがサブキャリア間隔、サイクリックプレフィックス（ＣＰ、Ｃｙｃｌｉｃ  Ｐｒｅｆｉｘ）を含むパラメータセットに基づくものである。現在の解決手段の場合、１つの端末について、１つのＢＷＰしかアクティブ化できず、１つの新たなＢＷＰをアクティブ化すると同時に、元のＢＷＰが非アクティブ化される。
【０００４】
図１に示すように、ＢＷＰ１がアクティブ化状態である場合、ＢＷＰ２をアクティブ化すると、ＢＷＰ１が非アクティブ化され、ＢＷＰ１も非アクティブ化されると、デフォルトのＢＷＰにフォールバックする。
【０００５】
従来の技術的解決手段で複数のＢＷＰの同時アクティブ化をサポートできないことによって、複数種のパラメータセットの同時使用をサポートすることも、複数種のタイプのサービスを並行して伝送する時に異なるサービスのそれぞれのパラメータセットを最適化することもできない。かつ、２種のパラメータセット間で切り替えると、２つのＢＷＰ間の切り替えも発生し、端末の無線周波数帯域幅も変換されるようになり、無線周波数帯域幅の変換によって一定の時間内での端末によるデータの送受信もできなくなり、これにより、周波数スペクトルリソースが浪費されるようになる。
【発明の概要】
【発明が解決しようとする課題】
【０００６】
本願の実施例は、上記技術的問題を解決するために、リソース構成方法及び装置、コンピュータ記憶媒体を提供する。
【課題を解決するための手段】
【０００７】
本願の実施例に係るリソース構成方法は、
端末がネットワーク機器によって送信された第１の制御情報を受信するステップであって、前記端末によってアクティブ化された現在のＢＷＰが第１のダウンリンクＢＷＰと第１のアップリンクＢＷＰを含み、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであるステップと、
前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定し、前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記端末が前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するステップと、を含む。
【０００８】
本願の実施例において、前記方法はさらに、
前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記端末が前記第２のダウンリンクＢＷＰと前記第２のアップリンクＢＷＰをアクティブ化すると同時に前記第１のダウンリンクＢＷＰと前記第１のアップリンクＢＷＰを非アクティブ化するステップを含む。
【０００９】
本願の実施例において、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するステップは、
前記第１のダウンリンクＢＷＰ、前記第１のアップリンクＢＷＰ及び前記第２のダウンリンクＢＷＰ、前記第２のアップリンクＢＷＰが所定の規則を満たす場合、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定するステップと、
前記第１のダウンリンクＢＷＰ、前記第１のアップリンクＢＷＰ及び前記第２のダウンリンクＢＷＰ、前記第２のアップリンクＢＷＰが所定の規則を満たさない場合、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ないと決定するステップと、を含む。
【００１０】
本願の実施例において、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【００１１】
本願の実施例において、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するステップは、
前記端末が前記ネットワーク機器によって送信された第２の制御情報を受信し、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示することを含む。
【００１２】
本願の実施例において、前記第２の制御情報がＤＣＩ、又はＲＲＣシグナリング、又はシステム情報（ＳＩ、Ｓｙｓｔｅｍ  Ｉｎｆｏｒｍａｔｉｏｎ）である。
【００１３】
本願の実施例において、前記方法はさらに、
前記端末が前記ネットワーク機器によって送信された第１の構成情報を受信するステップであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものであるステップと、
前記端末が前記第１の構成情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するステップと、を含む。
【００１４】
本願の実施例において、前記方法はさらに、
前記端末が前記ネットワーク機器によって送信された第３の制御情報を受信するステップであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰを含むと指示するためのものであるステップと、
前記端末が前記第３の制御情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するステップと、を含む。
【００１５】
本願の実施例において、前記方法はさらに、
前記第１のダウンリンクＢＷＰと前記第１のアップリンクＢＷＰ、及び、前記第２のダウンリンクＢＷＰと前記第２のアップリンクＢＷＰが、いずれも非アクティブ化された場合、デフォルトのＢＷＰをアクティブ化するステップを含む。
【００１６】
本願の実施例に係るリソース構成方法は、
ネットワーク機器が端末に第１の制御情報を送信し、前記端末によってアクティブ化された現在のＢＷＰが第１のダウンリンクＢＷＰと第１のアップリンクＢＷＰを含み、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであり、これにより、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定した場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するステップを含む。
【００１７】
本願の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第１の指示情報は、前記第２のダウンリンクＢＷＰと前記第２のアップリンクＢＷＰをアクティブ化すると同時に、前記端末に前記第１のダウンリンクＢＷＰと前記第１のアップリンクＢＷＰを非アクティブ化させるためのものである。
【００１８】
本願の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかは、
前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ることと、
前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないことと、を含む。
【００１９】
本願の実施例において、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【００２０】
本願の実施例において、前記方法はさらに、
前記ネットワーク機器が前記端末に第２の制御情報を送信するステップであって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示するステップを含む。
【００２１】
本願の実施例において、前記第２の制御情報がＤＣＩ、又はＲＲＣシグナリング、又はＳＩである。
【００２２】
本願の実施例において、前記方法はさらに、
前記ネットワーク機器が前記端末に第１の構成情報を送信するステップであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものであるステップを含む。
【００２３】
本願の実施例において、前記方法はさらに、
前記ネットワーク機器が前記端末に第３の制御情報を送信するステップであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰを含むと指示するためのものであるステップを含む。
【００２４】
本願の実施例に係るリソース構成装置は、
ネットワーク機器によって送信された第１の制御情報を受信するための第１の受信ユニットであって、端末によってアクティブ化された現在のＢＷＰが第１のダウンリンクＢＷＰと第１のアップリンクＢＷＰを含み、前記第１の制御情報が第１の指示情報を含み、前記第１の指示情報はアクティブ化しようとするＢＷＰが第２のダウンリンクＢＷＰ又は第２のアップリンクＢＷＰであると指示するためのものである第１の受信ユニットと、
前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するための決定ユニットと、
前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するためのアクティブ化と非アクティブ化ユニットと、を含む。
【００２５】
本願の実施例において、前記アクティブ化と非アクティブ化ユニットはさらに、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第２のダウンリンクＢＷＰと前記第２のアップリンクＢＷＰをアクティブ化すると同時に前記第１のダウンリンクＢＷＰと前記第１のアップリンクＢＷＰを非アクティブ化するためのものである。
【００２６】
本願の実施例において、前記決定ユニットは、前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ると決定し、前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないと決定するためのものである。
【００２７】
本願の実施例において、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【００２８】
本願の実施例において、前記装置はさらに、
ネットワーク機器によって送信された第２の制御情報を受信するための第２の受信ユニットであって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示する第２の受信ユニットと、
前記第２の制御情報に基づいて前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するための前記決定ユニットと、を含む。
【００２９】
本願の実施例において、前記第２の制御情報がＤＣＩ、又はＲＲＣシグナリング、又はＳＩである。
【００３０】
本願の実施例において、前記装置はさらに、
前記ネットワーク機器によって送信された第１の構成情報を受信するための第３の受信ユニットであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものである第３の受信ユニットを含み、
前記アクティブ化と非アクティブ化ユニットは、さらに、前記第１の構成情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するためのものである。
【００３１】
本願の実施例において、前記装置はさらに、
前記ネットワーク機器によって送信された第３の制御情報を受信するための第４の受信ユニットであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰを含むと指示するためのものである第４の受信ユニットを含み、
前記アクティブ化と非アクティブ化ユニットはさらに、前記第３の制御情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するためのものである。
【００３２】
本願の実施例において、前記アクティブ化と非アクティブ化ユニットはさらに、前記第１のダウンリンクＢＷＰと前記第１のアップリンクＢＷＰ、及び、前記第２のダウンリンクＢＷＰと前記第２のアップリンクＢＷＰが、いずれも非アクティブ化された場合、デフォルトのＢＷＰをアクティブ化するためのものである。
【００３３】
本願の実施例に係るリソース構成装置は、
端末に第１の制御情報を送信するための第１の送信ユニットであって、前記端末によってアクティブ化された現在のＢＷＰが第１のダウンリンクＢＷＰと第１のアップリンクＢＷＰを含み、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであり、これにより、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定した場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持する第１の送信ユニットを含む。
【００３４】
本願の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第１の指示情報は、前記第２のダウンリンクＢＷＰと前記第２のアップリンクＢＷＰをアクティブ化すると同時に、前記端末に前記第１のダウンリンクＢＷＰと前記第１のアップリンクＢＷＰを非アクティブ化させるためのものである。
【００３５】
本願の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかは、
前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ることと、
前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないことと、を含む。
【００３６】
本願の実施例において、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【００３７】
本願の実施例において、前記装置はさらに、
前記端末に第２の制御情報を送信するための第２の送信ユニットであって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示する第２の送信ユニットを含む。
【００３８】
本願の実施例において、前記第２の制御情報がＤＣＩ、又はＲＲＣシグナリング、又はＳＩである。
【００３９】
本願の実施例において、前記装置はさらに、
前記端末に第１の構成情報を送信するための第３の送信ユニットであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものである第３の送信ユニットを含む。
【００４０】
本願の実施例において、前記装置はさらに、
前記端末に第３の制御情報を送信するための第４の送信ユニットであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰを含むと指示するためのものである第４の送信ユニットを含む。
【００４１】
本願の実施例に係るコンピュータ記憶媒体であって、コンピュータ実行可能な命令が記憶されており、該コンピュータ実行可能な命令がプロセッサによって実行される時、上記のリソース構成方法を実現する。
【発明の効果】
【００４２】
本願の実施例の技術的解決手段では、端末がネットワーク機器によって送信された第１の制御情報を受信し、前記端末によってアクティブ化された現在のＢＷＰが第１のダウンリンクＢＷＰと第１のアップリンクＢＷＰを含み、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであり、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定し、前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記端末が前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持する。本願の実施例の技術的解決手段を採り、複数のＢＷＰペア（ＢＷＰ  ｐａｉｒ）を同時にアクティブ化できる形態を導入し、即ち、一定の条件では、ＢＷＰペアを非アクティブ化しないと同時に、他のＢＷＰペアを使用して信号を伝送し、これにより、複数のタイプのサービスの同時伝送を柔軟にサポートし、システムのスケジューリングの柔軟性と周波数スペクトルの利用率を向上する。
【図面の簡単な説明】
【００４３】
本明細書で説明する図面は、本願のさらなる理解を提供するためのものであり、本願の一部を構成しており、本願の例示的実施例及びそれらの説明は、本願を解釈するためのものであり、本願に対する過度の制限を構成しない。図面では、
【図１】アクティブ化状態であるＢＷＰが１つしかない場合の概略図である。
【図２】本願の実施例に係るリソース構成方法のフローチャート１である。
【図３】本願の実施例に係るリソース構成方法のフローチャート２である。
【図４】本願の例１の概略図である。
【図５】本願の例２の概略図である。
【図６】本願の例３の概略図である。
【図７】本願の例４の概略図である。
【図８】本願の例５の概略図である。
【図９】本願の例６の概略図である。
【図１０】本願の例７の概略図である。
【図１１】本願の例８の概略図である。
【図１２】本願の実施例に係るリソース構成装置の構造構成概略図１である。
【図１３】本願の実施例に係るリソース構成装置の構造構成概略図２である。
【図１４】本願の実施例に係るコンピュータ機器の構造構成概略図である。
【発明を実施するための形態】
【００４４】
本願の実施例の特徴及び技術的内容をより詳細に理解するために、以下は、図面を合わせて本願の実施例の実現を詳細に説明し、添付の図面は参照説明のためだけであり、本願の実施例を限定するためのものではない。
【００４５】
図２は、本願の実施例に係るリソース構成方法のフローチャート１であり、図２に示すように、前記リソース構成方法は以下のステップを含む。
【００４６】
ステップ２０１において、端末がネットワーク機器によって送信された第１の制御情報を受信し、前記端末によってアクティブ化された現在のＢＷＰが第１のダウンリンクＢＷＰと第１のアップリンクＢＷＰを含み、前記第１の制御情報が第１の指示情報を含み、前記第１の指示情報はアクティブ化しようとするＢＷＰが第２のダウンリンクＢＷＰ又は第２のアップリンクＢＷＰであると指示するためのものである。
【００４７】
本願の実施例において、前記端末は、携帯電話、タブレット、ラップトップ、デスクトップなどのネットワークと通信できる任意の機器であってもよい。
【００４８】
本願の実施例において、前記ネットワーク機器は、基地局、例えば、５ＧシステムのｇＮＢであってもよい。
【００４９】
本願の実施例において、前記第１の制御情報は、ＤＣＩ又はメディアアクセス制御の制御要素（ＭＡＣ  ＣＥ、Ｍｅｄｉａ  Ａｃｃｅｓｓ  Ｃｏｎｔｒｏｌ  Ｃｏｎｔｒｏｌ  Ｅｌｅｍｅｎｔ）である。
【００５０】
ステップ２０２において、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定し、前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記端末が前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持する。
【００５１】
例えば、端末によってアクティブ化された現在のＢＷＰがダウンリンクＢＷＰ１とアップリンクＢＷＰ１を含み、端末がネットワーク機器から第１の制御情報を受信し、前記第１の制御情報には、ダウンリンクＢＷＰ２又はアップリンクＢＷＰ２をアクティブ化するための指示情報が含まれており、ダウンリンクＢＷＰ１、アップリンクＢＷＰ１及びダウンリンクＢＷＰ２、アップリンクＢＷＰ２が同時にアクティブ化され得る場合、ダウンリンクＢＷＰ２、アップリンクＢＷＰ２をアクティブ化すると同時にダウンリンクＢＷＰ１、アップリンクＢＷＰ１が継続的にアクティブ化状態であるように維持する。
【００５２】
本願の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記端末が前記第２のダウンリンクＢＷＰと前記第２のアップリンクＢＷＰをアクティブ化すると同時に前記第１のダウンリンクＢＷＰと前記第１のアップリンクＢＷＰを非アクティブ化する。
【００５３】
本願の実施例において、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するステップは、以下の形態によって実現され得る。
【００５４】
形態１、前記第１のダウンリンクＢＷＰ、前記第１のアップリンクＢＷＰ及び前記第２のダウンリンクＢＷＰ、前記第２のアップリンクＢＷＰが所定の規則を満たす場合、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定する。前記第１のダウンリンクＢＷＰ、前記第１のアップリンクＢＷＰ及び前記第２のダウンリンクＢＷＰ、前記第２のアップリンクＢＷＰが所定の規則を満たさない場合、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ないと決定する。
【００５５】
本願の実施例において、前記第１のダウンリンクＢＷＰ、前記第１のアップリンクＢＷＰ及び前記第２のダウンリンクＢＷＰ、前記第２のアップリンクＢＷＰが所定の規則を満たす場合は、
１）前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、
２）前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、及び
３）前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることの少なくとも１つを含む。
【００５６】
形態２、前記端末がネットワーク機器によって送信された第２の制御情報を受信し、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示する。
【００５７】
１つの実施形態では、前記第２の制御情報がＤＣＩ、又はＲＲＣシグナリング、又はＳＩである。
【００５８】
本願の実施例において、前記端末は以下の形態によって既にアクティブ化状態であるＢＷＰを非アクティブ化することができる。
【００５９】
形態１、前記端末が前記ネットワーク機器によって送信された第１の構成情報を受信し、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含む。前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものであり、前記端末が前記第１の構成情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化する。
【００６０】
例えば、ダウンリンクＢＷＰ１、アップリンクＢＷＰ１に対するタイマーｔｉｍｅｒ１とダウンリンクＢＷＰ２、アップリンクＢＷＰ２に対するタイマーｔｉｍｅｒ２のいずれか１つのタイマーが期限切れになると、対応するＢＷＰが非アクティブ化される。
【００６１】
形態２、前記端末が前記ネットワーク機器によって送信された第３の制御情報を受信し、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰを含むと指示するためのものである。前記端末が前記第３の制御情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化する。
【００６２】
例えば、端末が第３の制御情報を受信し、前記第３の制御情報には、ダウンリンクＢＷＰ１、アップリンクＢＷＰ１、及び／又はダウンリンクＢＷＰ２、アップリンクＢＷＰ２を非アクティブ化するための指示情報が含まれており、対応するＢＷＰが非アクティブ化される。
【００６３】
１つの実施形態では、前記第１のダウンリンクＢＷＰと前記第１のアップリンクＢＷＰ、及び、前記第２のダウンリンクＢＷＰと前記第２のアップリンクＢＷＰが、いずれも非アクティブ化された場合、デフォルトのＢＷＰをアクティブ化する。
【００６４】
例えば、ダウンリンクＢＷＰ１、アップリンクＢＷＰ１、ダウンリンクＢＷＰ２、アップリンクＢＷＰ２が、いずれも非アクティブ化された後、アクティブ化されたＢＷＰがデフォルトのＢＷＰに変化される。
【００６５】
図３は、本願の実施例に係るリソース構成方法のフローチャート２であり、図３に示すように、前記リソース構成方法は以下のステップを含む。
【００６６】
ステップ３０１において、ネットワーク機器が端末に第１の制御情報を送信し、前記端末によってアクティブ化された現在のＢＷＰが第１のダウンリンクＢＷＰと第１のアップリンクＢＷＰを含み、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであり、これにより、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定した場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持する。
【００６７】
本願の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第１の指示情報は、前記第２のダウンリンクＢＷＰと前記第２のアップリンクＢＷＰをアクティブ化すると同時に、前記端末に前記第１のダウンリンクＢＷＰと前記第１のアップリンクＢＷＰを非アクティブ化させるためのものである。
【００６８】
本願の実施例において、前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかは、以下の形態によって決定され得る。
【００６９】
形態１、前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得る。前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ない。
【００７０】
１つの実施形態では、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【００７１】
形態２、前記ネットワーク機器が前記端末に第２の制御情報を送信し、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示する。
【００７２】
１つの実施形態では、前記第２の制御情報がＤＣＩ、又はＲＲＣシグナリング、又はＳＩである。
【００７３】
１つの実施形態では、前記方法はさらに、前記ネットワーク機器が前記端末に第１の構成情報を送信するステップであって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものであるステップを含む。
【００７４】
１つの実施形態では、前記方法はさらに、前記ネットワーク機器が前記端末に第３の制御情報を送信するステップであって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰを含むと指示するためのものであるステップを含む。
【００７５】
以下は具体的な応用例を合わせて本願の実施例の技術的解決手段についてさらに説明する。
【００７６】
例１において、ＤＬ  ＢＷＰ１とＤＬ  ＢＷＰ２の中心周波数と帯域幅の大きさが一致し、ＵＬ  ＢＷＰ１とＵＬ  ＢＷＰ２の中心周波数と帯域幅の大きさが一致し、ＢＷＰ２がＢＷＰ１より先に非アクティブ化される。
【００７７】
図４のように、従来の技術的解決手段とは異なり、ＤＬ  ＢＷＰ１、ＵＬ  ＢＷＰ１がアクティブ化状態である場合、ＤＬ  ＢＷＰ２、ＵＬ  ＢＷＰ２をアクティブ化すると、ＤＬ  ＢＷＰ２とＤＬ  ＢＷＰ１の中心周波数と帯域幅が一致し、ＵＬ  ＢＷＰ２とＵＬ  ＢＷＰ１の中心周波数と帯域幅が一致し、端末の無線周波数帯域幅と中心周波数が依然として調整しなくてもよいため、ＤＬ  ＢＷＰ１、ＵＬ  ＢＷＰ  １が非アクティブ化されることなく、ＤＬ  ＢＷＰ１、ＵＬ  ＢＷＰ  １及びＤＬ  ＢＷＰ２、ＵＬ  ＢＷＰ２が同時にアクティブ化状態である。ＤＬ  ＢＷＰ２、ＵＬ  ＢＷＰ２が非アクティブ化された（例えば、ＤＬ  ＢＷＰ２、ＵＬ  ＢＷＰ２に対するｔｉｍｅｒが期限切れになる）後、ＤＬ  ＢＷＰ１、ＵＬ  ＢＷＰ  １しかアクティブ化されなかった状態に戻る。ＤＬ  ＢＷＰ１、ＵＬ  ＢＷＰ  １も非アクティブ化された場合（例えば、ＤＬ  ＢＷＰ１、ＵＬ  ＢＷＰ１に対するｔｉｍｅｒが期限切れになる）、デフォルトのＤＬ  ＢＷＰとデフォルトのＵＬ  ＢＷＰにフォールバックする。
【００７８】
新たな技術的手段を採ることによって、端末の無線周波数帯域幅と中心周波数を調整しない状況で、２種のパラメータセットを同時にサポートすることができ、これにより、複数のタイプのサービスの同時伝送を柔軟にサポートし、システムのスケジューリングの柔軟性と周波数スペクトルの利用率を向上する。
【００７９】
例２、ＤＬ  ＢＷＰ１とＤＬ  ＢＷＰ２の中心周波数と帯域幅の大きさが一致し、ＵＬ  ＢＷＰ１とＵＬ  ＢＷＰ２の中心周波数と帯域幅の大きさが一致し、ＢＷＰ１がＢＷＰ２より先に非アクティブ化される。
【００８０】
図５のように、従来の技術的解決手段とは異なり、ＤＬ  ＢＷＰ１、ＵＬ  ＢＷＰ１がアクティブ化状態である場合、ＤＬ  ＢＷＰ２、ＵＬ  ＢＷＰ２をアクティブ化すると、ＤＬ  ＢＷＰ２とＤＬ  ＢＷＰ１の中心周波数と帯域幅が一致し、ＵＬ  ＢＷＰ２とＵＬ  ＢＷＰ１の中心周波数と帯域幅が一致し、端末の無線周波数帯域幅と中心周波数が依然として調整しなくてもよいため、ＤＬ  ＢＷＰ１、ＵＬ  ＢＷＰ  １が非アクティブ化されることなく、ＤＬ  ＢＷＰ１、ＵＬ  ＢＷＰ  １及びＤＬ  ＢＷＰ２、ＵＬ  ＢＷＰ２が同時にアクティブ化状態である。例１との相違点は、本例において、ＤＬ  ＢＷＰ１、ＵＬ  ＢＷＰ  １がＤＬ  ＢＷＰ２、ＵＬ  ＢＷＰ２より先に非アクティブ化され（例えば、ＤＬ  ＢＷＰ１、ＵＬ  ＢＷＰ１に対するｔｉｍｅｒが期限切れになる）、この時、ＤＬ  ＢＷＰ２、ＵＬ  ＢＷＰ２しかアクティブ化されなかった状態に入る。ＤＬ  ＢＷＰ２、ＵＬ  ＢＷＰ２も非アクティブ化された（例えば、ＤＬ  ＢＷＰ２、ＵＬ  ＢＷＰ２に対するｔｉｍｅｒが期限切れになる）場合、デフォルトのＤＬ  ＢＷＰとデフォルトのＵＬ  ＢＷＰにフォールバックする。
【００８１】
新たな技術的手段を採ることによって、端末の無線周波数帯域幅と中心周波数を調整しない状況で、２種のパラメータセットを同時にサポートすることができ、これにより、複数のタイプのサービスの同時伝送を柔軟にサポートし、システムのスケジューリングの柔軟性と周波数スペクトルの利用率を向上させる。
【００８２】
例３、ＤＬ  ＢＷＰ１とＤＬ  ＢＷＰ２の中心周波数が一致し、かつ、ＤＬ  ＢＷＰ２の帯域幅がＤＬ  ＢＷＰ１より小さく、ＵＬ  ＢＷＰ１とＵＬ  ＢＷＰ２の中心周波数が一致し、かつ、ＵＬ  ＢＷＰ２の帯域幅がＵＬ  ＢＷＰ１より小さく、ＢＷＰ２がＢＷＰ１より先に非アクティブ化される。
【００８３】
図６のように、従来の技術的解決手段とは異なり、ＤＬ  ＢＷＰ１、ＵＬ  ＢＷＰ１がアクティブ化状態である場合、ＤＬ  ＢＷＰ２、ＵＬ  ＢＷＰ２をアクティブ化すると、ＤＬ  ＢＷＰ２とＤＬ  ＢＷＰ１の中心周波数が一致し、かつ、ＤＬ  ＢＷＰ２の帯域幅がＤＬ  ＢＷＰ１より小さく、ＵＬ  ＢＷＰ２とＵＬ  ＢＷＰ１の中心周波数が一致し、かつ、ＵＬ  ＢＷＰ２の帯域幅がＵＬ  ＢＷＰ１より小さく、端末の無線周波数帯域幅と中心周波数が依然として調整しなくてもよいため、ＤＬ  ＢＷＰ１、ＵＬ  ＢＷＰ  １が非アクティブ化されることなく、ＤＬ  ＢＷＰ１、ＵＬ  ＢＷＰ  １及びＤＬ  ＢＷＰ２、ＵＬ  ＢＷＰ２が同時にアクティブ化状態である。ＤＬ  ＢＷＰ２、ＵＬ  ＢＷＰ２が非アクティブ化された（例えば、ＤＬ  ＢＷＰ２、ＵＬ  ＢＷＰ２に対するｔｉｍｅｒが期限切れになる）後、ＤＬ  ＢＷＰ１、ＵＬ  ＢＷＰ  １しかアクティブ化されなかった状態に戻る。ＤＬ  ＢＷＰ１、ＵＬ  ＢＷＰ  １も非アクティブ化された場合（例えば、ＤＬ  ＢＷＰ１、ＵＬ  ＢＷＰ１に対するｔｉｍｅｒが期限切れになる）、デフォルトのＤＬ  ＢＷＰとデフォルトのＵＬ  ＢＷＰにフォールバックする。
【００８４】
新たな技術的手段を採ることによって、端末の無線周波数帯域幅と中心周波数を調整しない状況で、２種のパラメータセット及び／又は２種の帯域幅を同時にサポートすることができ、これにより、複数のタイプのサービスの同時伝送を柔軟にサポートし、システムのスケジューリングの柔軟性と周波数スペクトルの利用率を向上させる。
【００８５】
例４、ＤＬ  ＢＷＰ１とＤＬ  ＢＷＰ２の中心周波数が一致し、かつ、ＤＬ  ＢＷＰ２の帯域幅がＤＬ  ＢＷＰ１より小さく、ＵＬ  ＢＷＰ１とＵＬ  ＢＷＰ２の中心周波数が一致し、かつ、ＵＬ  ＢＷＰ２の帯域幅がＵＬ  ＢＷＰ１より小さく、ＢＷＰ１がＢＷＰ２より先に非アクティブ化される。
【００８６】
図７のように、従来の技術的解決手段とは異なり、ＤＬ  ＢＷＰ１、ＵＬ  ＢＷＰ１がアクティブ化状態である場合、ＤＬ  ＢＷＰ２、ＵＬ  ＢＷＰ２をアクティブ化すると、ＤＬ  ＢＷＰ２とＤＬ  ＢＷＰ１の中心周波数が一致し、かつ、ＤＬ  ＢＷＰ２の帯域幅がＤＬ  ＢＷＰ１より小さく、ＵＬ  ＢＷＰ２とＵＬ  ＢＷＰ１の中心周波数が一致し、かつ、ＵＬ  ＢＷＰ２の帯域幅がＵＬ  ＢＷＰ１より小さく、端末の無線周波数帯域幅と中心周波数が依然として調整しなくてもよいため、ＤＬ  ＢＷＰ１、ＵＬ  ＢＷＰ  １が非アクティブ化されることなく、ＤＬ  ＢＷＰ１、ＵＬ  ＢＷＰ  １及びＤＬ  ＢＷＰ２、ＵＬ  ＢＷＰ２が同時にアクティブ化状態である。例３との相違点は、本例において、ＤＬ  ＢＷＰ１、ＵＬ  ＢＷＰ  １がＤＬ  ＢＷＰ２、ＵＬ  ＢＷＰ２より先に非アクティブ化され（例えば、ＤＬ  ＢＷＰ１、ＵＬ  ＢＷＰ１に対するｔｉｍｅｒが期限切れになる）、この時、ＤＬ  ＢＷＰ２、ＵＬ  ＢＷＰ２しかアクティブ化されなかった状態に入る。ＤＬ  ＢＷＰ２、ＵＬ  ＢＷＰ２も非アクティブ化された（例えば、ＤＬ  ＢＷＰ２、ＵＬ  ＢＷＰ２に対するｔｉｍｅｒが期限切れになる）場合、デフォルトのＤＬ  ＢＷＰとデフォルトのＵＬ  ＢＷＰにフォールバックする。
【００８７】
新たな技術的手段を採ることによって、端末の無線周波数帯域幅と中心周波数を調整しない状況で、２種のパラメータセット及び／又は２種の帯域幅を同時にサポートすることができ、これにより、複数のタイプのサービスの同時伝送を柔軟にサポートし、システムのスケジューリングの柔軟性と周波数スペクトルの利用率を向上する。
【００８８】
例５、ＤＬ  ＢＷＰ１とＤＬ  ＢＷＰ２の中心周波数が一致しないが、ＤＬ  ＢＷＰ２の周波数ドメイン範囲がＤＬ  ＢＷＰ１の周波数ドメイン範囲内であり、ＵＬ  ＢＷＰ１とＵＬ  ＢＷＰ２の中心周波数が一致しないが、ＵＬ  ＢＷＰ２の周波数ドメイン範囲がＵＬ  ＢＷＰ１の周波数ドメイン範囲内であり、ＢＷＰ２がＢＷＰ１より先に非アクティブ化される。
【００８９】
図８のように、従来の技術的解決手段とは異なり、ＤＬ  ＢＷＰ１とＵＬ  ＢＷＰ１がアクティブ化状態である場合、ＤＬ  ＢＷＰ２とＵＬ  ＢＷＰ２をアクティブ化すると、ＤＬ  ＢＷＰ２とＤＬ  ＢＷＰ１の中心周波数が一致しないが、ＤＬ  ＢＷＰ２の周波数ドメイン範囲がＤＬ  ＢＷＰ１の周波数ドメイン範囲内であり、ＵＬ  ＢＷＰ２の周波数ドメイン範囲がＵＬ  ＢＷＰ１の周波数ドメイン範囲内であり、端末の無線周波数帯域幅と中心周波数が依然として調整しなくてもよいため、ＤＬ  ＢＷＰ１とＵＬ  ＢＷＰ１が非アクティブ化されることなく、ＤＬ  ＢＷＰ１、ＵＬ  ＢＷＰ  １及びＤＬ  ＢＷＰ２、ＵＬ  ＢＷＰ２が同時にアクティブ化状態である。ＤＬ  ＢＷＰ２、ＵＬ  ＢＷＰ２が非アクティブ化された（例えば、ＤＬ  ＢＷＰ２、ＵＬ  ＢＷＰ２に対するｔｉｍｅｒが期限切れになる）後、ＤＬ  ＢＷＰ１、ＵＬ  ＢＷＰ  １しかアクティブ化されなかった状態に戻る。ＤＬ  ＢＷＰ１、ＵＬ  ＢＷＰ  １も非アクティブ化された場合（例えば、ＤＬ  ＢＷＰ１、ＵＬ  ＢＷＰ１に対するｔｉｍｅｒが期限切れになる）、デフォルトのＤＬ  ＢＷＰとデフォルトのＵＬ  ＢＷＰにフォールバックする。
【００９０】
新たな技術的手段を採ることによって、端末の無線周波数帯域幅と中心周波数を調整しない状況で、２種のパラメータセット及び／又は２種の帯域幅を同時にサポートすることができ、これにより、複数のタイプのサービスの同時伝送を柔軟にサポートし、システムのスケジューリングの柔軟性と周波数スペクトルの利用率を向上する。
【００９１】
例６、ＤＬ  ＢＷＰ１とＤＬ  ＢＷＰ２の中心周波数が一致しないが、ＤＬ  ＢＷＰ２の周波数ドメイン範囲がＤＬ  ＢＷＰ１の周波数ドメイン範囲内であり、ＵＬ  ＢＷＰ１とＵＬ  ＢＷＰ２の中心周波数が一致しないが、ＵＬ  ＢＷＰ２の周波数ドメイン範囲がＵＬ  ＢＷＰ１の周波数ドメイン範囲内であり、ＢＷＰ１がＢＷＰ２より先に非アクティブ化される。
【００９２】
図９のように、従来の技術的解決手段とは異なり、ＤＬ  ＢＷＰ１とＵＬ  ＢＷＰ１がアクティブ化状態である場合、ＤＬ  ＢＷＰ２とＵＬ  ＢＷＰ２をアクティブ化すると、ＤＬ  ＢＷＰ２とＤＬ  ＢＷＰ１の中心周波数が一致しないが、ＤＬ  ＢＷＰ２の周波数ドメイン範囲がＤＬ  ＢＷＰ１の周波数ドメイン範囲内であり、ＵＬ  ＢＷＰ２の周波数ドメイン範囲がＵＬ  ＢＷＰ１の周波数ドメイン範囲内であり、端末の無線周波数帯域幅と中心周波数が依然として調整しなくてもよいため、ＤＬ  ＢＷＰ１とＵＬ  ＢＷＰ１が非アクティブ化されることなく、ＤＬ  ＢＷＰ１、ＵＬ  ＢＷＰ  １及びＤＬ  ＢＷＰ２、ＵＬ  ＢＷＰ２が同時にアクティブ化状態である。例５との相違点は、本例において、ＤＬ  ＢＷＰ１、ＵＬ  ＢＷＰ  １がＤＬ  ＢＷＰ２、ＵＬ  ＢＷＰ２より先に非アクティブ化され（例えば、ＤＬ  ＢＷＰ１、ＵＬ  ＢＷＰ１に対するｔｉｍｅｒが期限切れになる）、この時、ＤＬ  ＢＷＰ２、ＵＬ  ＢＷＰ２しかアクティブ化されなかった状態に入る。ＤＬ  ＢＷＰ２、ＵＬ  ＢＷＰ２も非アクティブ化された（例えば、ＤＬ  ＢＷＰ２、ＵＬ  ＢＷＰ２に対するｔｉｍｅｒが期限切れになる）場合、デフォルトのＤＬ  ＢＷＰとデフォルトのＵＬ  ＢＷＰにフォールバックする。
【００９３】
新たな技術的手段を採ることによって、端末の無線周波数帯域幅と中心周波数を調整しない状況で、２種のパラメータセット及び／又は２種の帯域幅を同時にサポートすることができ、これにより、複数のタイプのサービスの同時伝送を柔軟にサポートし、システムのスケジューリングの柔軟性と周波数スペクトルの利用率を向上する。
【００９４】
例７、１つのＤＬ  ＢＷＰ２のみがＤＬ  ＢＷＰ１とＵＬ  ＢＷＰ１と同時にアクティブ化される。
【００９５】
図１０のように、例３とは異なり、ＤＬ  ＢＷＰ１とＵＬ  ＢＷＰ１がアクティブ化状態である場合、ダウンリンクアクティブ化ＢＷＰであるＤＬ  ＢＷＰ２を１つだけ増加し、ペアになるアクティブ化状態であるＤＬ  ＢＷＰ１とＵＬ  ＢＷＰ１があるため、ＵＬ  ＢＷＰ２がＤＬ  ＢＷＰ２とペアになるようにアクティブ化されなくてもよい。
【００９６】
例８、１つのＵＬ  ＢＷＰ２のみがＤＬ  ＢＷＰ１とＵＬ  ＢＷＰ１と同時にアクティブ化される。
【００９７】
図１１のように、例４とは異なり、ＤＬ  ＢＷＰ１とＵＬ  ＢＷＰ１がアクティブ化状態である場合、アップリンクアクティブ化ＢＷＰであるＵＬ  ＢＷＰ２を１つだけ増加し、ペアになるアクティブ化状態であるＤＬ  ＢＷＰ１とＵＬ  ＢＷＰ１があるため、ＤＬ  ＢＷＰ２がＵＬ  ＢＷＰ２とペアになるようにアクティブ化されなくてもよい。
【００９８】
図１２は、本願の実施例に係るリソース構成装置の構造構成概略図１であり、図１２に示すように、前記リソース構成装置は、
ネットワーク機器によって送信された第１の制御情報を受信するための第１の受信ユニット１２０１であって、端末によってアクティブ化された現在のＢＷＰが第１のダウンリンクＢＷＰと第１のアップリンクＢＷＰを含み、前記第１の制御情報が第１の指示情報を含み、前記第１の指示情報はアクティブ化しようとするＢＷＰが第２のダウンリンクＢＷＰ又は第２のアップリンクＢＷＰであると指示するためのものである第１の受信ユニット１２０１と、
前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するための決定ユニット１２０２と、
前記第１のダウンリンクＢＷＰ、前記第１のアップリンクＢＷＰ及び前記第２のダウンリンクＢＷＰ、前記第２のアップリンクＢＷＰが同時にアクティブ化され得る場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持するためのアクティブ化と非アクティブ化ユニット１２０３と、を含む。
【００９９】
１つの実施形態では、前記アクティブ化と非アクティブ化ユニット１２０３はさらに、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第２のダウンリンクＢＷＰと前記第２のアップリンクＢＷＰをアクティブ化すると同時に前記第１のダウンリンクＢＷＰと前記第１のアップリンクＢＷＰを非アクティブ化するためのものである。
【０１００】
１つの実施形態では、前記決定ユニット１２０２は、前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ると決定し、前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないと決定するためのものである。
【０１０１】
１つの実施形態では、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【０１０２】
１つの実施形態では、前記装置はさらに、
ネットワーク機器によって送信された第２の制御情報を受信するための第２の受信ユニット１２０４であって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示するための第２の受信ユニット１２０４と、
前記第２の制御情報に基づいて前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを決定するための前記決定ユニット１２０２と、を含む。
【０１０３】
１つの実施形態では、前記第２の制御情報がＤＣＩ、又はＲＲＣシグナリング、又はＳＩである。
【０１０４】
１つの実施形態では、前記装置はさらに、
前記ネットワーク機器によって送信された第１の構成情報を受信するための第３の受信ユニット１２０５であって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものである第３の受信ユニット１２０５を含み、
前記アクティブ化と非アクティブ化ユニット１２０３はさらに、前記第１の構成情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するためのものである。
【０１０５】
１つの実施形態では、前記装置はさらに、
前記ネットワーク機器によって送信された第３の制御情報を受信するための第４の受信ユニット１２０６であって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰを含むと指示するためのものである第４の受信ユニット１２０６を含み、
前記アクティブ化と非アクティブ化ユニット１２０３はさらに、前記第３の制御情報に基づき、前記第１のダウンリンクＢＷＰと前記第１のアップリンクＢＷＰを非アクティブ化し、及び／又は、前記第２のダウンリンクＢＷＰと前記第２のアップリンクＢＷＰを非アクティブ化するためのものである。
【０１０６】
１つの実施形態では、前記アクティブ化と非アクティブ化ユニット１２０３はさらに、前記第１のダウンリンクＢＷＰと前記第１のアップリンクＢＷＰ、及び、前記第２のダウンリンクＢＷＰと前記第２のアップリンクＢＷＰが、いずれも非アクティブ化された場合、デフォルトのＢＷＰをアクティブ化するためのものである。
【０１０７】
当業者は、図１２に示すようなリソース構成装置の各ユニットの実現機能が前述したリソース構成方法の関連説明を参照して理解できることを理解すべきである。図１２に示すようなリソース構成装置の各ユニットの機能がプロセッサで実行されているプログラムによって実現されてもよく、具体的なロジック回路によって実現されてもよい。
【０１０８】
図１３は、本願の実施例に係るリソース構成装置の構造構成概略図２であり、図１３に示すように、前記リソース構成装置は、
端末に第１の制御情報を送信するための第１の送信ユニット１３０１であって、前記端末によってアクティブ化された現在のＢＷＰが第１のダウンリンクＢＷＰと第１のアップリンクＢＷＰを含み、前記第１の制御情報が第１の指示情報を含み、前記第１の指示情報はアクティブ化しようとするＢＷＰが第２のダウンリンクＢＷＰ又は第２のアップリンクＢＷＰであると指示するためのものであり、これにより、前記端末は前記第１のダウンリンクＢＷＰ、前記第１のアップリンクＢＷＰ及び前記第２のダウンリンクＢＷＰ、前記第２のアップリンクＢＷＰが同時にアクティブ化され得ると決定した場合、前記第２のダウンリンクＢＷＰと前記第２のアップリンクＢＷＰをアクティブ化すると同時に前記第１のダウンリンクＢＷＰと前記第１のアップリンクＢＷＰが継続的にアクティブ化状態であるように維持する第１の送信ユニット１３０１を含む。
【０１０９】
１つの実施形態では、前記第１のダウンリンクＢＷＰ、前記第１のアップリンクＢＷＰ及び前記第２のダウンリンクＢＷＰ、前記第２のアップリンクＢＷＰが同時にアクティブ化され得ない場合、前記第１の指示情報は、前記第２のダウンリンクＢＷＰと前記第２のアップリンクＢＷＰをアクティブ化すると同時に、前記端末に前記第１のダウンリンクＢＷＰと前記第１のアップリンクＢＷＰを非アクティブ化させるためのものである。
【０１１０】
１つの実施形態では、前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかは、
前記第１のダウンリンクＢＷＰ、前記第１のアップリンクＢＷＰ及び前記第２のダウンリンクＢＷＰ、前記第２のアップリンクＢＷＰが所定の規則を満たす場合、前記第１のダウンリンクＢＷＰ、前記第１のアップリンクＢＷＰ及び前記第２のダウンリンクＢＷＰ、前記第２のアップリンクＢＷＰが同時にアクティブ化され得ることと、
前記第１のダウンリンクＢＷＰ、前記第１のアップリンクＢＷＰ及び前記第２のダウンリンクＢＷＰ、前記第２のアップリンクＢＷＰが所定の規則を満たさない場合、前記第１のダウンリンクＢＷＰ、前記第１のアップリンクＢＷＰ及び前記第２のダウンリンクＢＷＰ、前記第２のアップリンクＢＷＰが同時にアクティブ化され得ないことと、を含む。
【０１１１】
１つの実施形態では、前記第１のダウンリンクＢＷＰ、前記第１のアップリンクＢＷＰ及び前記第２のダウンリンクＢＷＰ、前記第２のアップリンクＢＷＰが所定の規則を満たす場合は、
前記第１のダウンリンクＢＷＰと前記第２のダウンリンクＢＷＰの中心周波数と帯域幅の大きさが一致し、前記第１のアップリンクＢＷＰと前記第２のアップリンクＢＷＰの中心周波数と帯域幅の大きさが一致すること、または、
前記第２のダウンリンクＢＷＰの周波数ドメイン範囲が前記第１のダウンリンクＢＷＰの周波数ドメイン範囲内であり、前記第２のアップリンクＢＷＰの周波数ドメイン範囲が前記第１のアップリンクＢＷＰの周波数ドメイン範囲内であること、または、
前記端末の無線周波数帯域幅機能が前記第１のダウンリンクＢＷＰ、及び前記第１のアップリンクＢＷＰ、及び前記第２のダウンリンクＢＷＰや前記第２のアップリンクＢＷＰの周波数ドメイン範囲を同時にカバーできることを含む。
【０１１２】
１つの実施形態では、前記装置はさらに、
前記端末に第２の制御情報を送信するための第２の送信ユニット１３０２であって、前記第２の制御情報が第２の指示情報を含み、前記第２の指示情報は前記第１のダウンリンクＢＷＰ、前記第１のアップリンクＢＷＰ及び前記第２のダウンリンクＢＷＰ、前記第２のアップリンクＢＷＰが同時にアクティブ化され得るかどうかを指示する第２の送信ユニット１３０２を含む。
【０１１３】
１つの実施形態では、前記第２の制御情報がＤＣＩ、又はＲＲＣシグナリング、又はＳＩである。
【０１１４】
１つの実施形態では、前記装置はさらに、
前記端末に第１の構成情報を送信するための第３の送信ユニット１３０３であって、前記第１の構成情報が前記第１のダウンリンクＢＷＰと前記第１のアップリンクＢＷＰに対応する第１の持続時間情報及び／又は前記第２のダウンリンクＢＷＰと前記第２のアップリンクＢＷＰに対応する第２の持続時間情報を含み、前記第１の持続時間情報は、前記第１のダウンリンクＢＷＰと前記第１のアップリンクＢＷＰのアクティブ化された持続時間が前記第１の持続時間に達する場合、前記端末に前記第１のダウンリンクＢＷＰと前記第１のアップリンクＢＷＰを非アクティブ化させるためのものであり、前記第２の持続時間情報は、前記第２のダウンリンクＢＷＰと前記第２のアップリンクＢＷＰのアクティブ化された持続時間が前記第２の持続時間に達する場合、前記端末に前記第２のダウンリンクＢＷＰと前記第２のアップリンクＢＷＰを非アクティブ化させるためのものである第３の送信ユニット１３０３を含む。
【０１１５】
１つの実施形態では、前記装置はさらに、
前記端末に第３の制御情報を送信するための第４の送信ユニット１３０４であって、前記第３の制御情報が第３の指示情報を含み、前記第３の指示情報は非アクティブ化しようとするＢＷＰが前記第１のダウンリンクＢＷＰと前記第１のアップリンクＢＷＰ、及び／又は、前記第２のダウンリンクＢＷＰと前記第２のアップリンクＢＷＰを含むと指示するためのものである第４の送信ユニット１３０４を含む。
【０１１６】
当業者は、図１３に示すようなリソース構成装置の各ユニットの実現機能が前述したリソース構成方法の関連説明を参照して理解できることを理解すべきである。図１３に示すようなリソース構成装置の各ユニットの機能がプロセッサで実行されているプログラムによって実現されてもよく、具体的なロジック回路によって実現されてもよい。
【０１１７】
本願の実施例による上記リソース構成装置は、ソフトウェア機能ユニットの形で実施され、独立した製品として販売または使用される場合、１つのコンピュータ可読記憶媒体に記憶されることができる。このような理解に基づき、本願の実施例の技術的解決手段は、本質的にソフトウェア製品の形で具現化されてもよく、従来の技術に寄与する部分が、ソフトウェア製品の形で具現化されてもよく、該コンピューターソフトウェア製品は、１つの記憶媒体に記憶され、コンピュータ機器（パーソナルコンピュータ、サーバ、又はネットワーク機器などであってもよい）に、本願の各実施例の前記方法のすべて又は一部を実行させるためのいくつかの命令を含む。前述した記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスク、又はコンパクトディスクなどプログラムコードを記憶できる様々な媒体を含む。このように、本願の実施例は特定したハードウェアとソフトウェアの任意の組み合わせに限定されない。
【０１１８】
対応的に、本願の実施例はさらに、コンピュータ記憶媒体を提供し、前記コンピュータ記憶媒体にはコンピュータ実行可能な命令が記憶され、該コンピュータ実行可能な命令がプロセッサによって実行される時、本願の実施例に係る上記リソース構成方法を実現する。
【０１１９】
図１４は、本願の実施例に係るコンピュータ機器の構造構成概略図であり、該コンピュータ機器は、端末であってもよく、ネットワーク機器であってもよい。図１４に示すように、コンピュータ機器１００は、１つ又は複数（１つのみが図示されている）のプロセッサ１００２（プロセッサ１００２は、マイクロプロセッサ（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）などの処理装置を含んでもよいが、それらに限定されない）、データを記憶するためのメモリ１００４、及び通信機能用の伝送装置１００６を含んでもよい。当業者は、図１４に示すような構造が例示的なものにすぎず、上記電子装置の構造を限定するようなものではないと理解できる。例えば、コンピュータ機器１００はさらに、図１４に示したコンポーネントより数多く又は数少ないコンポーネントを含んでもよく、または、図１４に示した構成と異なる構成を持ってもよい。
【０１２０】
メモリ１００４は、本願の実施例における方法に対応するプログラム命令／モジュールなどのアプリケーションプログラムのソフトウェアプログラム及びモジュールを記憶するために使用され得る。プロセッサ１００２は、メモリ１００４に記憶されたソフトウェアプログラム及びモジュールを実行することにより、様々な機能アプリケーション及びデータ処理を実行し、即ち、上記方法を実現する。メモリ１００４は、高速ランダムアクセスメモリを含んでもよく、また、例えば、１つ又は複数の磁気記憶装置、フラッシュメモリ、又は他の不揮発性ソリッドステートメモリなどの不揮発性メモリを含んでもよい。いくつかの実例では、メモリ１００４は、プロセッサ１００２に対してリモートで設置されたメモリをさらに含んでもよく、これらのリモートメモリは、ネットワークを介してコンピュータ機器１００に接続することができる。上記ネットワークの実例は、インターネット、イントラネット、ローカルエリアネットワーク、モバイル通信ネットワーク、及びそれらの組み合わせを含むが、それらに限定されない。
【０１２１】
伝送装置１００６は、１つのネットワークを介してデータを受信又は送信するためのものである。上記のネットワークの具体的な実例は、コンピュータ機器１００の通信事業者が提供する無線ネットワークを含んでもよい。１つの実例では、伝送装置１００６は、基地局を介して他のネットワークデバイスに接続することによってインターネットと通信することができる１つのネットワークインタフェースコントローラ（ＮＩＣ、Ｎｅｔｗｏｒｋ  Ｉｎｔｅｒｆａｃｅ  Ｃｏｎｔｒｏｌｌｅｒ）を含む。１つの実例では、伝送装置１００６は、無線の方式でインターネットと通信するための無線周波数（ＲＦ、Ｒａｄｉｏ  Ｆｒｅｑｕｅｎｃｙ）モジュールであってもよい。
【０１２２】
本願の実施例に記載の技術的解決手段は、競合することなく任意に組み合わせることができる。
【０１２３】
本願に係るいくつかの実施例では、開示された方法及びスマート機器は、他の方式で実現することができると理解すべきである。以上に説明された機器の実施例は例示的なものにすぎず、例えば、前記ユニットの分割は、論理機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、説明又は検討した各コンポーネントの互いの結合又は直接的な結合又は通信接続は、いくつかのインタフェース、機器又はユニットを用いる間接的結合又は通信接続であってもよく、電気的形態、機械的形態又はその他の形態であってもよい。
【０１２４】
上記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。実際の必要に応じて、一部のユニットだけを用いるか、又はすべてのユニットを使用して本実施例に係る解決手段の目的を達成することができる。
【０１２５】
また、本願の各実施例では、各機能ユニットが１つの第２の処理ユニットに集積されてもよいが、各ユニットがそれぞれ単独で１つのユニットとして存在するか、又は２つかまたは２つ以上のユニットが１つのユニットに集積されてもよい。上記集積されたユニットはハードウェアの形で実現されてもよく、ハードウェアとソフトウェア機能ユニットの形で実現されてもよい。
【０１２６】
以上の内容は、本願の具体的実施形態にすぎず、本願の保護範囲はこれらに限定されず、当業者であれば、本願で開示される技術的範囲内に、容易に想像しうる全ての変更又は置換は、いずれも本願の保護範囲内に含まれるべきである。
【国際調査報告】
2021517383.tif 000017
2021517383.tif 000018
2021517383.tif 000019
2021517383.tif 000020